(57)【要約】【課題】熱的・電気的・機械的な負荷に耐え得る、信頼性の高い静電チャックを提供することを目的とする。【解決手段】処理対象物を載置する第１主面と、第１主面とは反対側の第２主面と、を有するセラミック誘電体基板と、セラミック誘電体基板とは離れた位置に設けられセラミック誘電体基板を支持するベースプレートと、セラミック誘電体基板とベースプレートとの間に設けられたヒータプレートと、を備え、ヒータプレートは、金属を含む第１の支持板と、電流が流れることにより発熱するヒータエレメントと、第１の支持板とヒータエレメントとの間に設けられた第１の樹脂層と、を有し、ヒータエレメントは、第１の樹脂層と対向する第１面と、第１面と反対側を向く第２面と、を有し、第１面の幅は、第２面の幅と異なることを特徴とする静電チャックである。【選択図】図１６
2018022886.tif 000002
【特許請求の範囲】
【請求項１】
処理対象物を載置する第１主面と、前記第１主面とは反対側の第２主面と、を有するセラミック誘電体基板と、
前記セラミック誘電体基板とは離れた位置に設けられ前記セラミック誘電体基板を支持するベースプレートと、
前記セラミック誘電体基板と前記ベースプレートとの間に設けられたヒータプレートと、
を備え、
前記ヒータプレートは、
金属を含む第１の支持板と、
電流が流れることにより発熱するヒータエレメントと、
前記第１の支持板と前記ヒータエレメントとの間に設けられた第１の樹脂層と、
を有し、
前記ヒータエレメントは、前記第１の樹脂層と対向する第１面と、前記第１面と反対側を向く第２面と、を有し、
前記第１面の幅は、前記第２面の幅と異なることを特徴とする静電チャック。
【請求項２】
処理対象物を載置する第１主面と、前記第１主面とは反対側の第２主面と、を有するセラミック誘電体基板と、
前記セラミック誘電体基板とは離れた位置に設けられ前記セラミック誘電体基板を支持するベースプレートと、
前記セラミック誘電体基板と前記ベースプレートとの間に設けられたヒータプレートと、
を備え、
前記ヒータプレートは、
金属を含む第１の支持板と、
第１の樹脂層と、
前記第１の支持板と前記第１の樹脂層の間において前記第１の支持板から離れた位置に設けられ電流が流れることにより発熱するヒータエレメントと、
を有し、
前記ヒータエレメントは、前記第１の樹脂層と対向する第１面と、前記第１面と反対側を向く第２面と、を有し、
前記第１面の幅は、前記第２面の幅と異なることを特徴とする静電チャック。
【請求項３】
前記第１面の幅は、前記第２面の幅よりも狭いことを特徴とする請求項１または２に記載の静電チャック。
【請求項４】
前記第１面の幅は、前記第２面の幅よりも広いことを特徴とする請求項１または２に記載の静電チャック。
【請求項５】
前記ヒータエレメントは、前記第１面と前記第２面とを接続する側面を有し、
前記ヒータエレメントの側面は、凹曲面状であることを特徴とする請求項１〜４のいずれか１つに記載の静電チャック。
【請求項６】
前記ヒータエレメントは、前記第１面と前記第２面とを接続する側面を有し、
前記第１面と前記側面との成す角度は、前記第２面と前記側面との成す角度と異なることを特徴とする請求項１〜５のいずれか１つに記載の静電チャック。
【請求項７】
前記ヒータエレメントの前記側面の表面粗さは、前記第１面及び前記第２面の少なくとも一方の表面粗さよりも粗いことを特徴とする請求項５又は６に記載の静電チャック。
【請求項８】
前記ヒータプレートは、金属を含む第２の支持板と、第２の樹脂層と、をさらに有し、
前記ヒータエレメントは、前記第１の支持板と前記第２の支持板との間に設けられ、
前記第２の樹脂層は、前記第２の支持板と前記ヒータエレメントとの間に設けられたことを特徴とする請求項１〜７のいずれか１つに記載の静電チャック。
【請求項９】
前記第１の支持板は、前記第２の支持板と電気的に接続されていることを特徴とする請求項８記載の静電チャック。
【請求項１０】
前記第１の支持板が前記第２の支持板と接合された領域の面積は、前記第１の支持板の表面の面積よりも狭く、前記第２の支持板の表面の面積よりも狭いことを特徴とする請求項９記載の静電チャック。
【請求項１１】
前記ヒータエレメントは、第１の導電部と、第２の導電部と、を有し、
前記第２の導電部は、前記第１主面と平行な面内方向において前記第１の導電部と離間し、
前記ヒータプレートは、前記第１の導電部と前記第２の導電部との間に設けられ、前記第１の樹脂層と異なる樹脂部を有することを特徴とする請求項１または２に記載の静電チャック。
【請求項１２】
前記樹脂部は、前記ヒータエレメントと前記第１の樹脂層との間に延在し、
前記樹脂部の前記第１の導電部と前記第２の導電部との間の部分の厚さは、前記樹脂部の前記ヒータエレメントと前記第１の樹脂層との間の部分の厚さよりも厚いことを特徴とする請求項１１記載の静電チャック。
【請求項１３】
前記ヒータプレートは、第２の樹脂層をさらに有し、
前記ヒータエレメントは、前記第１の樹脂層と前記第２の樹脂層との間に設けられ、
前記樹脂部は、前記ヒータエレメントと前記第２の樹脂層との間に延在し、
前記樹脂部の前記第１の導電部と前記第２の導電部との間の部分の厚さは、前記樹脂部の前記ヒータエレメントと前記第２の樹脂層との間の部分の厚さよりも厚いことを特徴とする請求項１１記載の静電チャック。
【請求項１４】
前記樹脂部の前記第１の導電部と前記第２の導電部との間の中央部分の厚さは、前記樹脂部の前記第１の導電部と隣接する部分の厚さ、及び前記樹脂部の前記第２の導電部と隣接する部分の厚さよりも薄いことを特徴とする請求項１１〜１３のいずれか１つに記載の静電チャック。
【請求項１５】
前記ヒータプレートは、第２の樹脂層をさらに有し、
前記ヒータエレメントは、前記第１の樹脂層と前記第２の樹脂層との間に設けられ、
前記第１面の幅は、前記第２面の幅よりも狭く、
前記第１面と前記第１の樹脂層との間の間隔は、前記第２面と前記第２の樹脂層との間の間隔よりも広いことを特徴とする請求項１１記載の静電チャック。
【請求項１６】
前記ヒータプレートは、第２の樹脂層をさらに有し、
前記ヒータエレメントは、前記第１の樹脂層と前記第２の樹脂層との間に設けられ、
前記第１面の幅は、前記第２面の幅よりも広く、
前記第１面と前記第１の樹脂層との間の間隔は、前記第２面と前記第２の樹脂層との間の間隔よりも狭いことを特徴とする請求項１１記載の静電チャック。
【請求項１７】
前記ヒータプレートは、第２の樹脂層をさらに有し、
前記ヒータエレメントは、前記第１の樹脂層と前記第２の樹脂層との間に設けられ、
前記第１面と前記第１の樹脂層との間の間隔は、前記第２面と前記第２の樹脂層との間の間隔と等しいことを特徴とする請求項１１記載の静電チャック。
【請求項１８】
前記ヒータエレメントは、帯状のヒータ電極を有し、
前記ヒータ電極は、複数の領域において互いに独立した状態で設けられたことを特徴とする請求項１〜１７のいずれか１つに記載の静電チャック。
【請求項１９】
前記ヒータエレメントは、複数設けられ、
前記複数の前記ヒータエレメントは、互いに異なる層に独立した状態で設けられたことを特徴とする請求項１〜１８のいずれか１つに記載の静電チャック。
【請求項２０】
前記ヒータプレートは、導電性を有するバイパス層をさらに備え、
前記ヒータエレメントは、前記第１の樹脂層と前記バイパス層との間に設けられたことを特徴とする請求項１〜１９のいずれか１つに記載の静電チャック。
【請求項２１】
前記ヒータエレメントは、前記バイパス層と電気的に接合され、前記第１の支持板とは電気的に絶縁されたことを特徴とする請求項２０記載の静電チャック。
【請求項２２】
前記バイパス層の厚さは、前記第１の樹脂層の厚さよりも厚いことを特徴とする請求項２０または２１に記載の静電チャック。
【請求項２３】
前記バイパス層の厚さは、前記ヒータエレメントの厚さよりも厚いことを特徴とする請求項２０〜２２のいずれか１つに記載の静電チャック。
【請求項２４】
前記バイパス層は、前記ヒータエレメントと、前記ベースプレートと、の間に設けられたことを特徴とする請求項２０〜２３のいずれか１つに記載の静電チャック。
【請求項２５】
前記バイパス層は、前記ヒータエレメントと前記セラミック誘電体基板との間に設けられたことを特徴とする請求項２０〜２３のいずれか１つに記載の静電チャック。
【請求項２６】
前記バイパス層は、前記第１主面と平行な面内方向に並ぶ複数のバイパス部を有し、
前記ヒータプレートは、前記複数のバイパス部の間に設けられ、前記第１の樹脂層と異なるバイパス樹脂部を有することを特徴とする請求項２０〜２５のいずれか１つに記載の静電チャック。
【請求項２７】
前記ヒータプレートは、前記ヒータエレメントと前記バイパス層との間に設けられた第２の樹脂層をさらに有し、
前記バイパス樹脂部は、前記バイパス層と前記第２の樹脂層との間に延在し、
前記バイパス樹脂部の前記複数のバイパス部の間の部分の厚さは、前記バイパス樹脂部の前記バイパス層と前記第２の樹脂層との間の部分の厚さよりも厚いことを特徴とする請求項２６記載の静電チャック。
【請求項２８】
前記ヒータプレートは、第２の樹脂層と、第３の樹脂層と、をさらに有し、
前記ヒータエレメントは、前記第１の樹脂層と前記第２の樹脂層との間に設けられ、
前記バイパス層は、前記第２の樹脂層と前記第３の樹脂層との間に設けられ、
前記バイパス樹脂部は、前記バイパス層と前記第３の樹脂層との間に延在し、
前記バイパス樹脂部の前記複数のバイパス部の間の部分の厚さは、前記バイパス樹脂部の前記バイパス層と前記第３の樹脂層との間の部分の厚さよりも厚いことを特徴とする請求項２６記載の静電チャック。
【請求項２９】
前記ヒータプレートは、第２の樹脂層と、第３の樹脂層と、をさらに有し、
前記ヒータエレメントは、前記第１の樹脂層と前記第２の樹脂層との間に設けられ、
前記バイパス層は、前記第２の樹脂層と前記第３の樹脂層との間に設けられ、
前記バイパス樹脂部の前記複数のバイパス部の間の中央部分の厚さは、前記バイパス樹脂部の前記複数のバイパス部と隣接する部分の厚さよりも薄いことを特徴とする請求項２６〜２８のいずれか１つに記載の静電チャック。
【請求項３０】
前記ヒータプレートは、第２の樹脂層と、第３の樹脂層と、をさらに有し、
前記ヒータエレメントは、前記第１の樹脂層と前記第２の樹脂層との間に設けられ、
前記バイパス層は、前記第２の樹脂層と前記第３の樹脂層との間に設けられ、
前記複数のバイパス部のそれぞれは、前記第２の樹脂層と対向する第３面と、前記第３の樹脂層と対向する第４面と、を有し、
前記第３面の幅は、前記第４面の幅よりも狭く、
前記第３面と前記第２の樹脂層との間の間隔は、前記第４面と前記第３の樹脂層との間の間隔よりも広いことを特徴とする請求項２６〜２９のいずれか１つに記載の静電チャック。
【請求項３１】
前記ヒータプレートは、第２の樹脂層と、第３の樹脂層と、をさらに有し、
前記ヒータエレメントは、前記第１の樹脂層と前記第２の樹脂層との間に設けられ、
前記バイパス層は、前記第２の樹脂層と前記第３の樹脂層との間に設けられ、
前記複数のバイパス部のそれぞれは、前記第２の樹脂層と対向する第３面と、前記第３の樹脂層と対向する第４面と、を有し、
前記第３面の幅は、前記第４面の幅よりも広く、
前記第３面と前記第２の樹脂層との間の間隔は、前記第４面と前記第３の樹脂層との間の間隔よりも狭いことを特徴とする請求項２６〜２９のいずれか１つに記載の静電チャック。
【請求項３２】
前記ヒータプレートは、第２の樹脂層と、第３の樹脂層と、をさらに有し、
前記ヒータエレメントは、前記第１の樹脂層と前記第２の樹脂層との間に設けられ、
前記バイパス層は、前記第２の樹脂層と前記第３の樹脂層との間に設けられ、
前記複数のバイパス部のそれぞれは、前記第２の樹脂層と対向する第３面と、前記第３の樹脂層と対向する第４面と、を有し、
前記第３面と前記第２の樹脂層との間の間隔は、前記第４面と前記第３の樹脂層との間の間隔と等しいことを特徴とする請求項２６〜２９のいずれか１つに記載の静電チャック。
【請求項３３】
前記バイパス層は、前記ヒータエレメントと対向する第３面と、前記第３面と反対側を向く第４面と、を有し、
前記第３面の幅は、前記第４面の幅と異なり、
前記第３面の前記第４面に対する幅の大小関係は、前記第１面の前記第２面に対する幅の大小関係と同じであることを特徴とする請求項２０〜３２のいずれか１つに記載の静電チャック。
【請求項３４】
前記バイパス層は、前記ヒータエレメントと対向する第３面と、前記第３面と反対側を向く第４面と、を有し、
前記第３面の幅は、前記第４面の幅と異なり、
前記第３面の前記第４面に対する幅の大小関係は、前記第１面の前記第２面に対する幅の大小関係と反対であることを特徴とする請求項２０〜３２のいずれか１つに記載の静電チャック。
【請求項３５】
前記ヒータプレートは、金属を含む第２の支持板と、第２の樹脂層と、をさらに有し、
前記ヒータエレメントは、前記第１の支持板と前記第２の支持板との間に設けられ、
前記第１の支持板の面積は、前記第２の支持板の面積よりも広いことを特徴とする請求項１〜３４のいずれか１つに記載の静電チャック。
【請求項３６】
前記第１の支持板は、複数の支持部を有し、
前記複数の支持部は、互いに独立した状態で設けられたことを特徴とする請求項１〜３５のいずれか１つに記載の静電チャック。
【請求項３７】
前記ヒータプレートから前記ベースプレートに向かって設けられ、前記ヒータプレートに電力を供給する給電端子をさらに備えたことを特徴とする請求項１〜３６のいずれか１つに記載の静電チャック。
【請求項３８】
前記給電端子は、
外部から電力を供給するソケットと接続されるピン部と、
前記ピン部よりも細い導線部と、
前記導線部と接続された支持部と、
前記支持部と接続され前記ヒータエレメントと接合された接合部と、
を有することを特徴とする請求項３７記載の静電チャック。
【請求項３９】
前記ヒータプレートから前記ベースプレートに向かって設けられ、前記ヒータプレートに電力を供給する給電端子をさらに備え、
前記給電端子は、
外部から電力を供給するソケットと接続されるピン部と、
前記ピン部よりも細い導線部と、
前記導線部と接続された支持部と、
前記支持部と接続され前記バイパス層と接合された接合部と、
を有し、前記バイパス層を介して前記電力を前記ヒータエレメントに供給することを特徴とする請求項２０〜３４のいずれか１つに記載の静電チャック。
【請求項４０】
前記ベースプレートに設けられ、前記ヒータプレートに電力を供給する給電端子をさらに備え、
前記給電端子は、
外部から電力を供給するソケットと接続される給電部と、
前記給電部と接続され、前記ヒータプレートに押圧された端子部と、
を有することを特徴とする請求項１〜３６のいずれか１つに記載の静電チャック。
【発明の詳細な説明】
【技術分野】
【０００１】
本発明の態様は、一般的に、静電チャックに関する。
【背景技術】
【０００２】
エッチング、ＣＶＤ（Chemical Vapor Deposition）、スパッタリング、イオン注入、アッシングなどを行うプラズマ処理チャンバ内では、半導体ウェーハやガラス基板などの処理対象物を吸着保持する手段として、静電チャックが用いられている。静電チャックは、内蔵する電極に静電吸着用電力を印加し、シリコンウェーハ等の基板を静電力によって吸着するものである。
【０００３】
近年、トランジスタなどの半導体素子を含むＩＣチップにおいて、小型化や処理速度の向上が求められている。これに伴い、ウェーハ上において半導体素子を形成する際に、エッチングなどの加工の精度を高めることが求められている。エッチングの加工精度とは、ウェーハの加工によって、設計通りの幅や深さを有するパターンを形成することができるかどうかを示す。エッチングなどの加工精度を高めることによって、半導体素子を微細化することができ、集積密度を高くすることができる。すなわち、加工精度を高めることによって、チップの小型化及び高速度化が可能となる。
【０００４】
エッチングなどの加工精度は、加工時のウェーハの温度に依存することが知られている。そこで、静電チャックを有する基板処理装置においては、加工時におけるウェーハの温度を安定して制御することが求められる。例えば、ウェーハ面内の温度分布を均一にする性能（温度均一性）が求められる。また、ウェーハ面内において温度に意図的に差をつける性能（温度制御性）が求められる。ウェーハの温度を制御する方法として、ヒータ（発熱体）や冷却板を内蔵する静電チャックを用いる方法が知られている。一般的に、温度均一性は、温度制御性とトレードオフの関係にある。
【０００５】
ウェーハの温度は、冷却板の温度のばらつき、ヒータの温度のばらつき、ヒータを支持する支持板の厚さのばらつき、ヒータの周囲に設けられる樹脂層の厚さのばらつき、などの影響を受ける。ヒータが静電チャックに内蔵される場合には、ヒータの内蔵方法（例えば接着方法）が重要な要素の１つである。
【０００６】
ウェーハ加工のプロセスでは、ＲＦ（Radio Frequency）電圧（高周波電圧）が印加される。ＲＦ電圧が印加されると、一般的なヒータは、高周波の影響を受けて発熱する。すると、ウェーハの温度が影響を受ける。また、ＲＦ電圧が印加されると、漏れ電流が設備側に流れる。そのため、フィルタなどの機構が設備側に必要となる。
【０００７】
プラズマエッチング装置などにおけるプロセスでは、様々な強度および様々な分布のプラズマがウェーハに照射される。プラズマがウェーハに照射される場合には、ウェーハの温度をプロセスに適した温度に制御すると同時に、温度均一性および温度制御性が求められる。さらに、生産性を向上させるためには、ウェーハの温度を所定の温度に比較的短い時間で到達させることが求められる。急激な温度変化や、熱の供給や、高周波電圧の印加がある。これらにより、静電チャックには熱的・電気的・機械的な負荷が発生することになる。静電チャックにはこれらの負荷に耐え、ウェーハ温度を制御する高い信頼性が求められる。このような要求を同時に満足することは、困難である。
【先行技術文献】
【特許文献】
【０００８】
【特許文献１】特開２０１０−４０６４４号公報
【発明の概要】
【発明が解決しようとする課題】
【０００９】
本発明は、かかる課題の認識に基づいてなされたものであり、熱的・電気的・機械的な負荷に耐え得る、信頼性の高い静電チャックを提供することを目的とする。
【課題を解決するための手段】
【００１０】
第１の発明は、処理対象物を載置する第１主面と、前記第１主面とは反対側の第２主面と、を有するセラミック誘電体基板と、前記セラミック誘電体基板とは離れた位置に設けられ前記セラミック誘電体基板を支持するベースプレートと、前記セラミック誘電体基板と前記ベースプレートとの間に設けられたヒータプレートと、を備え、前記ヒータプレートは、金属を含む第１の支持板と、電流が流れることにより発熱するヒータエレメントと、前記第１の支持板と前記ヒータエレメントとの間に設けられた第１の樹脂層と、を有し、前記ヒータエレメントは、前記第１の樹脂層と対向する第１面と、前記第１面と反対側を向く第２面と、を有し、前記第１面の幅は、前記第２面の幅と異なることを特徴とする静電チャックである。
【００１１】
この静電チャックによれば、熱膨張によりヒータエレメントが変形しても、第１の樹脂層などに掛かる応力を低減することができる。これにより、ヒータエレメントに近接する層（例えば、第１の樹脂層）の剥離を抑制することができる。剥離によって生じる処理対象物の温度変化を抑制することができる。従って、静電チャックの信頼性を向上させることができる。
【００１２】
第２の発明は、処理対象物を載置する第１主面と、前記第１主面とは反対側の第２主面と、を有するセラミック誘電体基板と、前記セラミック誘電体基板とは離れた位置に設けられ前記セラミック誘電体基板を支持するベースプレートと、前記セラミック誘電体基板と前記ベースプレートとの間に設けられたヒータプレートと、を備え、前記ヒータプレートは、金属を含む第１の支持板と、第１の樹脂層と、前記第１の支持板と前記第１の樹脂層の間において前記第１の支持板から離れた位置に設けられ電流が流れることにより発熱するヒータエレメントと、を有し、前記ヒータエレメントは、前記第１の樹脂層と対向する第１面と、前記第１面と反対側を向く第２面と、を有し、前記第１面の幅は、前記第２面の幅と異なることを特徴とする静電チャックである。
【００１３】
この静電チャックによれば、熱膨張によりヒータエレメントが変形しても、第１の樹脂層などに掛かる応力を低減することができる。これにより、ヒータエレメントに近接する層（例えば、第１の樹脂層）の剥離を抑制することができる。剥離によって生じる処理対象物の温度変化を抑制することができる。従って、静電チャックの信頼性を向上させることができる。
【００１４】
第３の発明は、第１または第２の発明において、前記第１面の幅は、前記第２面の幅よりも狭いことを特徴とする静電チャックである。
【００１５】
この静電チャックによれば、第１面に接触する層に加わる応力を低減し、第１面に接触する層の剥離を抑制することができる。例えば、第１の樹脂層の剥離を抑制することができる。また、ベースプレートに熱が逃げやすい第２面側の発熱量が、第１面側の発熱量よりも多くなり、第１面及び第２面に対して垂直な方向における熱分布のバラツキを抑制することができる。例えば、均熱性をより向上させることができる。
【００１６】
第４の発明は、第１または第２の発明において、前記第１面の幅は、前記第２面の幅よりも広いことを特徴とする静電チャックである。
【００１７】
この静電チャックによれば、第２面に接触する層に加わる応力を低減し、第２面に接触する層の剥離を抑制することができる。また、第１面側において熱を持ち易くするとともに、第２面側において熱を冷まし易くし、温度追従性（ランプレート）をより向上させることができる。
【００１８】
第５の発明は、第１〜第４のいずれか１つの発明において、前記ヒータエレメントは、前記第１面と前記第２面とを接続する側面を有し、前記ヒータエレメントの側面は、凹曲面状であることを特徴とする静電チャックである。
【００１９】
この静電チャックによれば、側面に近接する層に加わる応力を低減し、側面に近接する層の剥離を抑制することができる。
【００２０】
第６の発明は、第１〜第５のいずれか１つの発明において、前記ヒータエレメントは、前記第１面と前記第２面とを接続する側面を有し、前記第１面と前記側面との成す角度は、前記第２面と前記側面との成す角度と異なることを特徴とする静電チャックである。
【００２１】
この静電チャックによれば、熱膨張によるヒーター変形による樹脂層への応力の緩和によるヒーターエレメントに近接する樹脂層の剥離の低減と、均熱性や温度追従性といった熱的特性を両立することができる。
【００２２】
第７の発明は、第５又は第６の発明において、前記ヒータエレメントの前記側面の表面粗さは、前記第１面及び前記第２面の少なくとも一方の表面粗さよりも粗いことを特徴とする静電チャックである。
【００２３】
この静電チャックによれば、側面部分での密着性を向上させ、ヒータエレメントに近接する層の剥離をより抑制することができる。
【００２４】
第８の発明は、第１〜第７のいずれか１つの発明において、前記ヒータプレートは、金属を含む第２の支持板と、第２の樹脂層と、をさらに有し、前記ヒータエレメントは、前記第１の支持板と前記第２の支持板との間に設けられ、前記第２の樹脂層は、前記第２の支持板と前記ヒータエレメントとの間に設けられたことを特徴とする静電チャックである。
【００２５】
この静電チャックによれば、ヒータプレートの面内の温度分布の均一化を向上させ、処理対象物の面内の温度分布の均一性をより向上させることができる。また、第２の支持板により、ヒータエレメントを高周波から遮断し、ヒータエレメントが異常温度に発熱することをより抑制することができる。
【００２６】
第９の発明は、第８の発明において、前記第１の支持板は、前記第２の支持板と電気的に接続されていることを特徴とする静電チャックである。
【００２７】
この静電チャックによれば、ヒータエレメントを高周波から遮断することができる。これにより、ヒータエレメントが異常温度に発熱することを抑制することができる。また、ヒータプレートのインピーダンスを抑えることができる。
【００２８】
第１０の発明は、第９の発明において、前記第１の支持板が前記第２の支持板と接合された領域の面積は、前記第１の支持板の表面の面積よりも狭く、前記第２の支持板の表面の面積よりも狭いことを特徴とする静電チャックである。
【００２９】
この静電チャックによれば、ヒータエレメントを高周波から遮断することができる。これにより、ヒータエレメントが異常温度に発熱することを抑制することができる。また、ヒータプレートのインピーダンスを抑えることができる。
【００３０】
第１１の発明は、第１または第２の発明において、前記ヒータエレメントは、第１の導電部と、第２の導電部と、を有し、前記第２の導電部は、前記第１主面と平行な面内方向において前記第１の導電部と離間し、前記ヒータプレートは、前記第１の導電部と前記第２の導電部との間に設けられ、前記第１の樹脂層と異なる樹脂部を有することを特徴とする静電チャックである。
【００３１】
この静電チャックによれば、第１の導電部と第２の導電部との間の熱伝導、熱容量をコントロールでき、均熱性と熱伝導性を両立したヒーター構造を達成することができる。
【００３２】
第１２の発明は、第１１の発明において、前記樹脂部は、前記ヒータエレメントと前記第１の樹脂層との間に延在し、前記樹脂部の前記第１の導電部と前記第２の導電部との間の部分の厚さは、前記樹脂部の前記ヒータエレメントと前記第１の樹脂層との間の部分の厚さよりも厚いことを特徴とする静電チャックである。
【００３３】
この静電チャックによれば、ヒータエレメントと第１の樹脂層との間の部分の樹脂部の厚さを薄くすることにより、温度制御性を向上させることができる。そして、第１の導電部と第２の導電部との間の部分の樹脂部の厚さを厚くすることにより、均熱性を向上させることができる。均熱性と熱伝導性とをより向上させることができる。
【００３４】
第１３の発明は、第１１の発明において、前記ヒータプレートは、第２の樹脂層をさらに有し、前記ヒータエレメントは、前記第１の樹脂層と前記第２の樹脂層との間に設けられ、前記樹脂部は、前記ヒータエレメントと前記第２の樹脂層との間に延在し、前記樹脂部の前記第１の導電部と前記第２の導電部との間の部分の厚さは、前記樹脂部の前記ヒータエレメントと前記第２の樹脂層との間の部分の厚さよりも厚いことを特徴とする静電チャックである。
【００３５】
この静電チャックによれば、ヒータエレメントと第２の樹脂層との間の部分の樹脂部の厚さを薄くすることにより、温度制御性を向上させることができる。そして、第１の導電部と第２の導電部との間の部分の樹脂部の厚さを厚くすることにより、均熱性を向上させることができる。均熱性と熱伝導性とをより向上させることができる。
【００３６】
第１４の発明は、第１１〜第１３のいずれか１つの発明において、前記樹脂部の前記第１の導電部と前記第２の導電部との間の中央部分の厚さは、前記樹脂部の前記第１の導電部と隣接する部分の厚さ、及び前記樹脂部の前記第２の導電部と隣接する部分の厚さよりも薄いことを特徴とする静電チャックである。
【００３７】
この静電チャックによれば、ヒータエレメントと第１の樹脂層などとの密着性を向上させ、処理対象物の加熱性能をより向上させることができる。均熱性と耐電圧信頼性とを両立させることができる。
【００３８】
第１５の発明は、第１１の発明において、前記ヒータプレートは、第２の樹脂層をさらに有し、前記ヒータエレメントは、前記第１の樹脂層と前記第２の樹脂層との間に設けられ、前記第１面の幅は、前記第２面の幅よりも狭く、前記第１面と前記第１の樹脂層との間の間隔は、前記第２面と前記第２の樹脂層との間の間隔よりも広いことを特徴とする静電チャックである。
【００３９】
この静電チャックによれば、樹脂部の領域が増えるため、面内方向への応力に対する信頼性を向上させることができる。さらに、第１面と第１の樹脂層との間の間隔を広くすることにより、ヒータエレメントと処理対処物間の熱容量を大きくし、より均熱性を向上させることができる。
【００４０】
第１６の発明は、第１１の発明において、前記ヒータプレートは、第２の樹脂層をさらに有し、前記ヒータエレメントは、前記第１の樹脂層と前記第２の樹脂層との間に設けられ、前記第１面の幅は、前記第２面の幅よりも広く、前記第１面と前記第１の樹脂層との間の間隔は、前記第２面と前記第２の樹脂層との間の間隔よりも狭いことを特徴とする静電チャックである。
【００４１】
この静電チャックによれば、樹脂部の領域が増えるため、面内方向への応力に対する信頼性を向上させることができる。さらに、第２面と第２の樹脂層との間の間隔を広くすることにより、ヒータエレメントとベースプレート間の熱容量を大きくし、ヒータエレメントよりも処理対象物側の部分を熱的に浮かすことができ、高温領域において使用し易くすることができる。なお、高温領域での使用とは、より具体的には、１００℃以上での使用である。
【００４２】
第１７の発明は、第１１の発明において、前記ヒータプレートは、第２の樹脂層をさらに有し、前記ヒータエレメントは、前記第１の樹脂層と前記第２の樹脂層との間に設けられ、前記第１面と前記第１の樹脂層との間の間隔は、前記第２面と前記第２の樹脂層との間の間隔と等しいことを特徴とする静電チャックである。
【００４３】
この静電チャックによれば、熱容量を小さくし、熱追従性を向上させることができる。
【００４４】
第１８の発明は、第１〜第１７のいずれか１つの発明において、前記ヒータエレメントは、帯状のヒータ電極を有し、前記ヒータ電極は、複数の領域において互いに独立した状態で設けられたことを特徴とする静電チャックである。
【００４５】
この静電チャックによれば、ヒータ電極が複数の領域において互いに独立した状態で設けられているため、処理対象物の面内の温度を各領域ごとに独立して制御することができる。これにより、処理対象物の面内の温度に意図的に差をつけることができる（温度制御性）。
【００４６】
第１９の発明は、第１〜第１８のいずれか１つの発明において、前記ヒータエレメントは、複数設けられ、前記複数の前記ヒータエレメントは、互いに異なる層に独立した状態で設けられたことを特徴とする静電チャックである。
【００４７】
この静電チャックによれば、ヒータエレメントが互いに異なる層に独立した状態で設けられているため、処理対象物の面内の温度を各領域ごとに独立して制御することができる。これにより、処理対象物の面内の温度に意図的に差をつけることができる（温度制御性）。
【００４８】
第２０の発明は、第１〜第１９のいずれか１つの発明において、前記ヒータプレートは、導電性を有するバイパス層をさらに備え、前記ヒータエレメントは、前記第１の樹脂層と前記バイパス層との間に設けられたことを特徴とする静電チャックである。
【００４９】
この静電チャックによれば、ヒータエレメントに電力を供給する端子の配置に対してより大きい自由度を持たせることができる。バイパス層が設けられることで、バイパス層が設けられていない場合と比較して熱容量が大きい端子をヒータエレメントに直接接合させなくともよい。これにより、処理対象物の面内の温度分布の均一性を向上させることができる。また、バイパス層が設けられていない場合と比較して薄いヒータエレメントに端子を接合させなくともよい。これにより、ヒータプレートの信頼性を向上させることができる。
【００５０】
第２１の発明は、第２０の発明において、前記ヒータエレメントは、前記バイパス層と電気的に接合され、前記第１の支持板とは電気的に絶縁されたことを特徴とする静電チャックである。
【００５１】
この静電チャックによれば、バイパス層を介してヒータエレメントに外部から電力を供給することができる。
【００５２】
第２２の発明は、第２０又は第２１の発明において、前記バイパス層の厚さは、前記第１の樹脂層の厚さよりも厚いことを特徴とする静電チャックである。
【００５３】
この静電チャックによれば、ヒータエレメントに電力を供給する端子の配置に対してより大きい自由度を持たせることができる。また、バイパス層の電気抵抗を抑え、バイパス層の発熱量を抑えることができる。
【００５４】
第２３の発明は、第２０〜第２２のいずれか１つの発明において、前記バイパス層の厚さは、前記ヒータエレメントの厚さよりも厚いことを特徴とする静電チャックである。
【００５５】
この静電チャックによれば、ヒータエレメントに電力を供給する端子の配置に対してより大きい自由度を持たせることができる。また、バイパス層の電気抵抗を抑え、バイパス層の発熱量を抑えることができる。
【００５６】
第２４の発明は、第２０〜第２３のいずれか１つの発明において、前記バイパス層は、前記ヒータエレメントと、前記ベースプレートと、の間に設けられたことを特徴とする静電チャックである。
【００５７】
この静電チャックによれば、バイパス層は、ヒータエレメントから供給された熱がベースプレートへ伝わることを抑制する。つまり、バイパス層は、バイパス層からみてベースプレートの側に対する断熱効果を有し、処理対象物の面内の温度分布の均一性を向上させることができる。
【００５８】
第２５の発明は、第２０〜第２３のいずれか１つの発明において、前記バイパス層は、前記ヒータエレメントと前記セラミック誘電体基板との間に設けられたことを特徴とする静電チャックである。
【００５９】
この静電チャックによれば、ヒータエレメントの温度分布のムラをバイパス層で緩和し、均熱性をより向上させることができる。
【００６０】
第２６の発明は、第２０〜第２５のいずれか１つの発明において、前記バイパス層は、前記第１主面と平行な面内方向に並ぶ複数のバイパス部を有し、前記ヒータプレートは、前記複数のバイパス部の間に設けられ、前記第１の樹脂層と異なるバイパス樹脂部を有することを特徴とする静電チャックである。
【００６１】
この静電チャックによれば、各バイパス部の間の熱伝導、熱容量をコントロールでき、均熱性と熱伝導性を両立したヒーター構造を達成することができる。
【００６２】
第２７の発明は、第２６の発明において、前記ヒータプレートは、前記ヒータエレメントと前記バイパス層との間に設けられた第２の樹脂層をさらに有し、前記バイパス樹脂部は、前記バイパス層と前記第２の樹脂層との間に延在し、前記バイパス樹脂部の前記複数のバイパス部の間の部分の厚さは、前記バイパス樹脂部の前記バイパス層と前記第２の樹脂層との間の部分の厚さよりも厚いことを特徴とする静電チャックである。
【００６３】
この静電チャックによれば、バイパス層と第２の樹脂層との間の部分の樹脂部の厚さを薄くすることにより、温度制御性を向上させることができる。そして、各バイパス部の間の部分の樹脂部の厚さを厚くすることにより、均熱性を向上させることができる。均熱性と熱伝導性とをより向上させることができる。
【００６４】
第２８の発明は、第２６の発明において、前記ヒータプレートは、第２の樹脂層と、第３の樹脂層と、をさらに有し、前記ヒータエレメントは、前記第１の樹脂層と前記第２の樹脂層との間に設けられ、前記バイパス層は、前記第２の樹脂層と前記第３の樹脂層との間に設けられ、前記バイパス樹脂部は、前記バイパス層と前記第３の樹脂層との間に延在し、前記バイパス樹脂部の前記複数のバイパス部の間の部分の厚さは、前記バイパス樹脂部の前記バイパス層と前記第３の樹脂層との間の部分の厚さよりも厚いことを特徴とする静電チャックである。
【００６５】
この静電チャックによれば、バイパス層と第３の樹脂層との間の部分の樹脂部の厚さを薄くすることにより、温度制御性を向上させることができる。そして、各バイパス部の間の部分の樹脂部の厚さを厚くすることにより、均熱性を向上させることができる。均熱性と熱伝導性とをより向上させることができる。
【００６６】
第２９の発明は、第２６〜第２８のいずれか１つの発明において、前記ヒータプレートは、第２の樹脂層と、第３の樹脂層と、をさらに有し、前記ヒータエレメントは、前記第１の樹脂層と前記第２の樹脂層との間に設けられ、前記バイパス層は、前記第２の樹脂層と前記第３の樹脂層との間に設けられ、前記バイパス樹脂部の前記複数のバイパス部の間の中央部分の厚さは、前記バイパス樹脂部の前記複数のバイパス部と隣接する部分の厚さよりも薄いことを特徴とする静電チャックである。
【００６７】
この静電チャックによれば、バイパス層と第２の樹脂層及び第３の樹脂層との密着性を向上させ、処理対象物の加熱性能をより向上させることができる。均熱性と耐電圧信頼性とを両立させることができる。
【００６８】
第３０の発明は、第２６〜第２９のいずれか１つの発明において、前記ヒータプレートは、第２の樹脂層と、第３の樹脂層と、をさらに有し、前記ヒータエレメントは、前記第１の樹脂層と前記第２の樹脂層との間に設けられ、前記バイパス層は、前記第２の樹脂層と前記第３の樹脂層との間に設けられ、前記複数のバイパス部のそれぞれは、前記第２の樹脂層と対向する第３面と、前記第３の樹脂層と対向する第４面と、を有し、前記第３面の幅は、前記第４面の幅よりも狭く、前記第３面と前記第２の樹脂層との間の間隔は、前記第４面と前記第３の樹脂層との間の間隔よりも広いことを特徴とする静電チャックである。
【００６９】
この静電チャックによれば、樹脂部の領域が増えるため、面内方向への応力に対する信頼性を向上させることができる。さらに、第３面と第２の樹脂層との間の間隔を広くすることにより、ヒータエレメントと処理対処物間の熱容量を大きくし、より均熱性を向上させることができる。
【００７０】
第３１の発明は、第２６〜第２９のいずれか１つの発明において、前記ヒータプレートは、第２の樹脂層と、第３の樹脂層と、をさらに有し、前記ヒータエレメントは、前記第１の樹脂層と前記第２の樹脂層との間に設けられ、前記バイパス層は、前記第２の樹脂層と前記第３の樹脂層との間に設けられ、前記複数のバイパス部のそれぞれは、前記第２の樹脂層と対向する第３面と、前記第３の樹脂層と対向する第４面と、を有し、前記第３面の幅は、前記第４面の幅よりも広く、前記第３面と前記第２の樹脂層との間の間隔は、前記第４面と前記第３の樹脂層との間の間隔よりも狭いことを特徴とする静電チャックである。
【００７１】
この静電チャックによれば、樹脂部の領域が増えるため、面内方向への応力に対する信頼性を向上させることができる。さらに、第４面と第３の樹脂層との間の間隔を広くすることにより、ヒータエレメントとベースプレート間の熱容量を大きくし、ヒータエレメントよりも処理対象物側の部分を熱的に浮かすことができ、高温領域において使用し易くすることができる。なお、高温領域での使用とは、より具体的には、１００℃以上での使用である。
【００７２】
第３２の発明は、第２６〜第２９のいずれか１つの発明において、前記ヒータプレートは、第２の樹脂層と、第３の樹脂層と、をさらに有し、前記ヒータエレメントは、前記第１の樹脂層と前記第２の樹脂層との間に設けられ、前記バイパス層は、前記第２の樹脂層と前記第３の樹脂層との間に設けられ、前記複数のバイパス部のそれぞれは、前記第２の樹脂層と対向する第３面と、前記第３の樹脂層と対向する第４面と、を有し、前記第３面と前記第２の樹脂層との間の間隔は、前記第４面と前記第３の樹脂層との間の間隔と等しいことを特徴とする静電チャックである。
【００７３】
この静電チャックによれば、熱容量を小さくし、熱追従性を向上させることができる。
【００７４】
第３３の発明は、第２０〜第３２のいずれか１つの発明において、前記バイパス層は、前記ヒータエレメントと対向する第３面と、前記第３面と反対側を向く第４面と、を有し、前記第３面の幅は、前記第４面の幅と異なり、前記第３面の前記第４面に対する幅の大小関係は、前記第１面の前記第２面に対する幅の大小関係と同じであることを特徴とする静電チャックである。
【００７５】
この静電チャックによれば、第１面及び第３面の幅が狭い場合には、第１面〜第４面に対して垂直な方向における熱分布のバラツキをより抑制することができる。反対に、第１面及び第３面の幅が広い場合には、第１面及び第３面側において熱を持ち易くするとともに、第２面及び第４面側において熱を冷まし易くし、温度追従性（ランプレート）をより向上させることができる。
【００７６】
第３４の発明は、第２０〜第３２のいずれか１つの発明において、前記バイパス層は、前記ヒータエレメントと対向する第３面と、前記第３面と反対側を向く第４面と、を有し、前記第３面の幅は、前記第４面の幅と異なり、前記第３面の前記第４面に対する幅の大小関係は、前記第１面の前記第２面に対する幅の大小関係と反対であることを特徴とする静電チャックである。
【００７７】
この静電チャックによれば、バイパス層の熱膨張によって加わる応力の方向を、ヒータエレメントの熱膨張によって加わる応力の方向と逆向きにすることができる。これにより、応力の影響をより抑制することができる。
【００７８】
第３５の発明は、第１〜第３４のいずれか１つの発明において、前記ヒータプレートは、金属を含む第２の支持板と、第２の樹脂層と、をさらに有し、前記ヒータエレメントは、前記第１の支持板と前記第２の支持板との間に設けられ、前記第１の支持板の面積は、前記第２の支持板の面積よりも広いことを特徴とする静電チャックである。
【００７９】
この静電チャックによれば、ヒータエレメントからみて第２の支持板の側において、ヒータエレメントに電力を供給する端子をより容易に接続することができる。
【００８０】
第３６の発明は、第１〜第３５のいずれか１つの発明において、前記第１の支持板は、複数の支持部を有し、前記複数の支持部は、互いに独立した状態で設けられたことを特徴とする静電チャックである。
【００８１】
この静電チャックによれば、第１の支持板の面内において意図的に径方向の温度差を設けることができる（温度制御性）。例えば、第１の支持板の面内において中央部から外周部にわたってステップ状に温度差を設けることができる。これにより、処理対象物の面内において意図的に温度差を設けることができる（温度制御性）。
【００８２】
第３７の発明は、第１〜第３６のいずれか１つの発明において、前記ヒータプレートから前記ベースプレートに向かって設けられ、前記ヒータプレートに電力を供給する給電端子をさらに備えたことを特徴とする静電チャックである。
【００８３】
この静電チャックによれば、給電端子がヒータプレートからベースプレートへ向かって設けられているため、ベースプレートの下面の側からソケットなどと呼ばれる部材を介して給電端子に電力を供給することができる。これにより、静電チャックが設置されるチャンバ内に給電端子が露出することを抑えつつ、ヒータの配線が実現される。
【００８４】
第３８の発明は、第３７の発明において、前記給電端子は、外部から電力を供給するソケットと接続されるピン部と、前記ピン部よりも細い導線部と、前記導線部と接続された支持部と、前記支持部と接続され前記ヒータエレメントと接合された接合部と、を有することを特徴とする静電チャックである。
【００８５】
この静電チャックによれば、ピン部が導線部よりも太いため、ピン部は、比較的大きい電流をヒータエレメントに供給することができる。また、導線部がピン部よりも細いため、導線部は、ピン部よりも変形しやすく、ピン部の位置を接合部の中心からずらすことができる。これにより、ヒータプレートとは異なる部材（例えばベースプレート）に給電端子を固定することができる。支持部が、例えば、溶接、レーザ光を利用した接合、半田付け、ロウ付けなどにより導線部および接合部と接合される場合には、給電端子にかかる応力を緩和しつつ、ヒータエレメントに対してより広い接触面積を確保することができる。
【００８６】
第３９の発明は、第２０〜第３４のいずれか１つの発明において、前記ヒータプレートから前記ベースプレートに向かって設けられ、前記ヒータプレートに電力を供給する給電端子をさらに備え、前記給電端子は、外部から電力を供給するソケットと接続されるピン部と、前記ピン部よりも細い導線部と、前記導線部と接続された支持部と、前記支持部と接続され前記バイパス層と接合された接合部と、を有し、前記バイパス層を介して前記電力を前記ヒータエレメントに供給することを特徴とする静電チャックである。
【００８７】
この静電チャックによれば、ピン部が導線部よりも太いため、ピン部は、比較的大きい電流をヒータエレメントに供給することができる。また、導線部がピン部よりも細いため、導線部は、ピン部よりも変形しやすく、ピン部の位置を接合部の中心からずらすことができる。これにより、ヒータプレートとは異なる部材（例えばベースプレート）に給電端子を固定することができる。支持部が、例えば、溶接、レーザ光を利用した接合、半田付け、ロウ付けなどにより導線部および接合部と接合される場合には、給電端子にかかる応力を緩和しつつ、バイパス層に対してより広い接触面積を確保することができる。また、支持部が、例えば、溶接、レーザ光を利用した接合、半田付け、ロウ付けなどにより導線部および接合部と接合される場合には、ヒータプレートおよびバイパス層と略同じ厚さの接合部を設けることができる。
【００８８】
第４０の発明は、第１〜第３６のいずれか１つの発明において、前記ベースプレートに設けられ、前記ヒータプレートに電力を供給する給電端子をさらに備え、前記給電端子は、外部から電力を供給するソケットと接続される給電部と、前記給電部と接続され、前記ヒータプレートに押圧された端子部と、を有することを特徴とする静電チャックである。
【００８９】
この静電チャックによれば、給電端子を溶接などで接合する場合に比べて、給電のために設けられる孔の径を小さくすることができる。
【発明の効果】
【００９０】
本発明の態様によれば、熱的・電気的・機械的な負荷に耐え得る、信頼性の高い静電チャックが提供される。
【図面の簡単な説明】
【００９１】
【図１】本実施形態にかかる静電チャックを表す模式的斜視図である。
【図２】本実施形態にかかる静電チャックを表す模式的断面図である。
【図３】本実施形態のヒータプレートを表す模式的斜視図である。
【図４】本実施形態のヒータプレートを表す模式的斜視図である。
【図５】本実施形態のヒータプレートを表す模式的分解図である。
【図６】本実施形態のヒータプレートの変形例を表す模式的分解図である。
【図７】本実施形態の製造方法の一例を例示する模式的断面図である。
【図８】本実施形態の製造方法の他の一例を例示する模式的断面図である。
【図９】本実施形態にかかる静電チャックを表す模式的分解図である。
【図１０】本実施形態にかかる静電チャックを表す電気回路図である。
【図１１】本実施形態のヒータプレートの具体例を例示する模式的平面図である。
【図１２】本具体例のヒータエレメントを例示する模式的平面図である。
【図１３】本具体例のヒータエレメントを例示する模式的平面図である。
【図１４】本具体例のバイパス層を例示する模式的平面図である。
【図１５】本具体例のヒータプレートの一部を模式的に表す拡大図である。
【図１６】図１６（ａ）及び図１６（ｄ）は、本実施形態のヒータプレートの一部を表す断面図である。
【図１７】図１７（ａ）及び図１７（ｄ）は、本実施形態のヒータプレートの変形例を表す断面図である。
【図１８】図１８（ａ）及び図１８（ｄ）は、本実施形態のヒータプレートの変形例を表す断面図である。
【図１９】図１９（ａ）及び図１９（ｄ）は、本実施形態のヒータプレートの変形例を表す断面図である。
【図２０】図２０（ａ）及び図２０（ｂ）は、本実施形態のヒータプレートの変形例を表す断面図である。
【図２１】図２１（ａ）及び図２１（ｂ）は、本実施形態のヒータプレートの変形例を表す断面図である。
【図２２】図２２（ａ）及び図２２（ｂ）は、本実施形態のヒータプレートの変形例を表す断面図である。
【図２３】図２３（ａ）及び図２３（ｂ）は、本実施形態のヒータプレートの変形例を表す断面図である。
【図２４】図２４（ａ）及び図２４（ｂ）は、ヒータプレートのシミュレーション結果の一例を表す説明図である。
【図２５】本実施形態のヒータプレートの変形例を表す断面図である。
【図２６】本実施形態の変形例にかかる静電チャックを表す模式的断面図である。
【図２７】図２７（ａ）〜図２７（ｄ）は、本実施形態のヒータプレートの変形例を表す断面図である。
【図２８】図２８（ａ）〜図２８（ｄ）は、本実施形態のヒータプレートの変形例を表す断面図である。
【図２９】図２９（ａ）〜図２９（ｄ）は、本実施形態のヒータプレートの変形例を表す断面図である。
【図３０】図３０（ａ）〜図３０（ｄ）は、本実施形態のヒータプレートの変形例を表す断面図である。
【図３１】本実施形態の第１の支持板の変形例を表す模式的平面図である。
【図３２】本実施形態の第１の支持板の変形例を表す模式的平面図である。
【図３３】本変形例のヒータプレートを表す模式的断面図である。
【図３４】本実施形態の給電端子の具体例を表す模式的平面図である。
【図３５】本実施形態のヒータプレートの変形例を表す模式的分解図である。
【図３６】本実施形態の給電端子の変形例を表す模式的断面図である。
【図３７】本発明の他の実施の形態にかかるウェーハ処理装置を表す模式的断面図である。
【図３８】本発明の他の実施の形態にかかるウェーハ処理装置の変形例を表す模式的断面図である。
【図３９】本発明の他の実施の形態にかかるウェーハ処理装置の変形例を表す模式的断面図である。
【発明を実施するための形態】
【００９２】
以下、本発明の実施の形態について図面を参照しつつ説明する。なお、各図面中、同様の構成要素には同一の符号を付して詳細な説明は適宜省略する。  
図１は、本実施形態にかかる静電チャックを表す模式的斜視図である。  
図２は、本実施形態にかかる静電チャックを表す模式的断面図である。  
図１では、説明の便宜上、静電チャックの一部において断面図を表している。図２（ａ）は、例えば図１に表した切断面Ａ１−Ａ１における模式的断面図である。図２（ｂ）は、図２（ａ）に表した領域Ｂ１の模式的拡大図である。
【００９３】
本実施形態にかかる静電チャック１０は、セラミック誘電体基板１００と、ヒータプレート２００と、べースプレート３００と、を備える。  
セラミック誘電体基板１００は、ベースプレート３００と離れた位置に設けられている。ヒータプレート２００は、ベースプレート３００と、セラミック誘電体基板１００と、の間に設けられている。
【００９４】
ベースプレート３００とヒータプレート２００との間には、接着剤４０３が設けられている。ヒータプレート２００とセラミック誘電体基板１００との間には、接着剤４０３が設けられている。接着剤４０３の材料としては、比較的高い熱伝導性を有するシリコーン等の耐熱性樹脂が挙げられる。接着剤４０３の厚さは、例えば約０．１ミリメートル（ｍｍ）以上、１．０ｍｍ以下程度である。接着剤４０３の厚さは、ベースプレート３００とヒータプレート２００との間の距離、あるいはヒータプレート２００とセラミック誘電体基板１００との間の距離と同じである。
【００９５】
セラミック誘電体基板１００は、例えば多結晶セラミック焼結体による平板状の基材であり、半導体ウェーハ等の処理対象物Ｗを載置する第１主面１０１と、第１主面１０１とは反対側の第２主面１０２と、を有する。
【００９６】
ここで、本実施形態の説明においては、第１主面１０１と第２主面１０２とを結ぶ方向をＺ方向、Ｚ方向と直交する方向の１つをＸ方向、Ｚ方向及びＸ方向に直交する方向をＹ方向ということにする。
【００９７】
セラミック誘電体基板１００に含まれる結晶の材料としては、例えばＡｌ２Ｏ３、Ｙ２Ｏ３及びＹＡＧなどが挙げられる。このような材料を用いることで、セラミック誘電体基板１００における赤外線透過性、絶縁耐性及びプラズマ耐久性を高めることができる。
【００９８】
セラミック誘電体基板１００の内部には、電極層１１１が設けられている。電極層１１１は、第１主面１０１と、第２主面１０２と、の間に介設されている。すなわち、電極層１１１は、セラミック誘電体基板１００の中に挿入されるように形成されている。電極層１１１は、セラミック誘電体基板１００に一体焼結されている。
【００９９】
なお、電極層１１１は、第１主面１０１と、第２主面１０２と、の間に介設されていることに限定されず、第２主面１０２に付設されていてもよい。
【０１００】
静電チャック１０は、電極層１１１に吸着保持用電圧を印加することによって、電極層１１１の第１主面１０１側に電荷を発生させ、静電力によって処理対象物Ｗを吸着保持する。
【０１０１】
ヒータプレート２００は、ヒータ用電流が流れることによって発熱し、ヒータプレート２００が発熱しない場合と比較して処理対象物Ｗの温度を上げることができる。
【０１０２】
電極層１１１は、第１主面１０１及び第２主面１０２に沿って設けられている。電極層１１１は、処理対象物Ｗを吸着保持するための吸着電極である。電極層１１１は、単極型でも双極型でもよい。また、電極層１１１は、三極型やその他の多極型であってもよい。電極層１１１の数や電極層１１１の配置は、適宜選択される。
【０１０３】
セラミック誘電体基板１００は、電極層１１１と第１主面１０１との間の第１誘電層１０７と、電極層１１１と第２主面１０２との間の第２誘電層１０９と、を有する。セラミック誘電体基板１００のうち少なくとも第１誘電層１０７における赤外線分光透過率は、２０％以上であることが好ましい。本実施形態において、赤外線分光透過率は、厚さ１ｍｍ換算での値である。
【０１０４】
セラミック誘電体基板１００のうち少なくとも第１誘電層１０７における赤外線分光透過率が２０％以上あることで、第１主面１０１に処理対象物Ｗを載置した状態でヒータプレート２００から放出される赤外線がセラミック誘電体基板１００を効率良く透過することができる。したがって、処理対象物Ｗに熱が蓄積し難くなり、処理対象物Ｗの温度の制御性が高まる。
【０１０５】
例えば、プラズマ処理を行うチャンバ内で静電チャック１０が使用される場合、プラズマパワーの増加に伴い処理対象物Ｗの温度は上昇しやすくなる。本実施形態の静電チャック１０では、プラズマパワーによって処理対象物Ｗに伝わった熱がセラミック誘電体基板１００に効率良く伝わる。さらに、ヒータプレート２００によってセラミック誘電体基板１００に伝わった熱が処理対象物Ｗに効率よく伝わる。したがって、処理対象物Ｗを効率良く伝熱して所望の温度に維持しやすくなる。
【０１０６】
本実施形態に係る静電チャック１０では、第１誘電層１０７に加え、第２誘電層１０９における赤外線分光透過率も２０％以上あることが望ましい。第１誘電層１０７及び第２誘電層１０９の赤外線分光透過率が２０％以上あることで、ヒータプレート２００から放出される赤外線がさらに効率良くセラミック誘電体基板１００を透過することになり、処理対象物Ｗの温度制御性を高めることができる。
【０１０７】
ベースプレート３００は、セラミック誘電体基板１００の第２主面１０２側に設けられ、ヒータプレート２００を介してセラミック誘電体基板１００を支持する。ベースプレート３００には、連通路３０１が設けられている。つまり、連通路３０１は、ベースプレート３００の内部に設けられている。ベースプレート３００の材料としては、例えばアルミニウムが挙げられる。
【０１０８】
ベースプレート３００は、セラミック誘電体基板１００の温度調整を行う役目を果たす。例えば、セラミック誘電体基板１００を冷却する場合には、連通路３０１へ冷却媒体を流入し、連通路３０１を通過させ、連通路３０１から冷却媒体を流出させる。これにより、冷却媒体によってベースプレート３００の熱を吸収し、その上に取り付けられたセラミック誘電体基板１００を冷却することができる。
【０１０９】
一方、セラミック誘電体基板１００を加熱する場合には、連通路３０１内に加熱媒体を入れることも可能である。または、ベースプレート３００に図示しないヒータを内蔵させることも可能である。このように、ベースプレート３００によりセラミック誘電体基板１００の温度が調整されると、静電チャック１０で吸着保持される処理対象物Ｗの温度を容易に調整することができる。
【０１１０】
また、セラミック誘電体基板１００の第１主面１０１側には、必要に応じて凸部１１３が設けられている。互いに隣り合う凸部１１３の間には、溝１１５が設けられている。溝１１５は、互いに連通している。静電チャック１０に搭載された処理対象物Ｗの裏面と、溝１１５と、の間には、空間が形成される。
【０１１１】
溝１１５には、ベースプレート３００及びセラミック誘電体基板１００を貫通する導入路３２１が接続されている。処理対象物Ｗを吸着保持した状態で導入路３２１からヘリウム（Ｈｅ）等の伝達ガスを導入すると、処理対象物Ｗと溝１１５との間に設けられた空間に伝達ガスが流れ、処理対象物Ｗを伝達ガスによって直接加熱もしくは冷却することができるようになる。
【０１１２】
図３は、本実施形態のヒータプレートを表す模式的斜視図である。  
図４は、本実施形態のヒータプレートを表す模式的斜視図である。  
図５は、本実施形態のヒータプレートを表す模式的分解図である。  
図６は、本実施形態のヒータプレートの変形例を表す模式的分解図である。  
図３は、本実施形態のヒータプレートを上面（セラミック誘電体基板１００の側の面）から眺めた模式的斜視図である。図４（ａ）は、本実施形態のヒータプレートを下面（ベースプレート３００の側の面）から眺めた模式的斜視図である。図４（ｂ）は、図４（ａ）に表した領域Ｂ２における模式的拡大図である。
【０１１３】
図５に表したように、本実施形態のヒータプレート２００は、第１の支持板２１０と、第１の樹脂層２２０と、ヒータエレメント（発熱層）２３０と、第２の樹脂層２４０と、バイパス層２５０と、第３の樹脂層２６０と、第２の支持板２７０と、給電端子２８０と、を有する。図３に表したように、第１の支持板２１０の面２１１（上面）は、ヒータプレート２００の上面を形成する。図４に表したように、第２の支持板２７０の面２７１（下面）は、ヒータプレート２００の下面を形成する。第１の支持板２１０及び第２の支持板２７０は、ヒータエレメント２３０などを支持する支持板である。この例において、第１支持板２１０及び第２支持板２７０は、第１の樹脂層２２０と、ヒータエレメント２３０と、第２の樹脂層２４０と、バイパス層２５０と、第３の樹脂層２６０と、を挟み、これらを支持する。
【０１１４】
第１の樹脂層２２０は、第１の支持板２１０と、第２の支持板２７０と、の間に設けられている。ヒータエレメント２３０は、第１の樹脂層２２０と、第２の支持板２７０と、の間に設けられている。このように、ヒータエレメント２３０は、第１の支持板２１０と重ねて設けられる。第１の樹脂層２２０は、換言すれば、第１の支持板２１０とヒータエレメント２３０との間に設けられる。
【０１１５】
第２の樹脂層２４０は、ヒータエレメント２３０と、第２の支持板２７０と、の間に設けられている。バイパス層２５０は、第２の樹脂層２４０と、第２の支持板２７０と、の間に設けられている。第３の樹脂層２６０は、バイパス層２５０と、第２の支持板２７０と、の間に設けられている。ヒータエレメント２３０は、換言すれば、第１の樹脂層２２０と第２の樹脂層２４０との間に設けられる。バイパス層２５０は、換言すれば、第２の樹脂層２４０と第３の樹脂層２６０との間に設けられる。ヒータエレメント２３０は、例えば、第１の樹脂層２２０及び第２の樹脂層２４０のそれぞれに接触する。バイパス層２５０は、例えば、第２の樹脂層２４０及び第３の樹脂層２６０のそれぞれに接触する。
【０１１６】
図６に表したように、バイパス層２５０および第３の樹脂層２６０は、必ずしも設けられていなくともよい。バイパス層２５０および第３の樹脂層２６０が設けられていない場合には、第２の樹脂層２４０は、ヒータエレメント２３０と、第２支持板２７０と、の間に設けられる。以下の説明では、ヒータプレート２００がバイパス層２５０および第３の樹脂層２６０を有する場合を例に挙げる。
【０１１７】
第１の支持板２１０は、比較的高い熱伝導率を有する。第１の支持板２１０の材料としては、例えばアルミニウム、銅、およびニッケルの少なくともいずれかを含む金属や、多層構造のグラファイトなどが挙げられる。第１の支持板２１０の厚さ（Ｚ方向の長さ）は、例えば約０．１ｍｍ以上、３．０ｍｍ以下程度である。より好ましくは、第１の支持板２１０の厚さは、例えば０．３ｍｍ以上、１．０ｍｍ以下程度である。第１の支持板２１０は、ヒータプレート２００の面内の温度分布の均一化を向上させる。第１の支持板２１０は、ヒータプレート２００の反りを抑制する。第１の支持板２１０は、ヒータプレート２００とセラミック誘電体基板１００との間の接着の強度を向上させる。
【０１１８】
処理対象物Ｗの処理プロセスでは、ＲＦ（Radio Frequency）電圧（高周波電圧）が印加される。高周波電圧が印加されると、ヒータエレメント２３０は、高周波の影響を受けて発熱することがある。すると、ヒータエレメント２３０の温度制御性が低下する。  
これに対して、本実施形態では、第１の支持板２１０は、ヒータエレメント２３０およびバイパス層２５０を高周波から遮断する。これにより、第１の支持板２１０は、ヒータエレメント２３０が異常温度に発熱することを抑制することができる。
【０１１９】
第２の支持板２７０の材料、厚さ、および機能は、第１の支持板２１０の材料、厚さ、および機能とそれぞれ同じである。第１の支持板２１０は、第２の支持板２７０と電気的に接合されている。ここで、本願明細書において「接合」という範囲には、接触が含まれる。第２の支持板２７０と、第１の支持板２１０と、の間の電気的な接合の詳細については、後述する。
【０１２０】
このように、第１の支持板２１０及び第２の支持板２７０は、比較的高い熱伝導率を有する。これにより、第１の支持板２１０及び第２の支持板２７０は、ヒータエレメント２３０から供給される熱の熱拡散性を向上させる。また、第１の支持板２１０及び第２の支持板２７０は、適度な厚さ及び剛性を有することにより、例えば、ヒータプレート２００の反りを抑制する。さらに、第１の支持板２１０及び第２の支持板２７０は、例えば、ウェーハ処理装置の電極などに印加されるＲＦ電圧に対するシールド性を向上させる。例えば、ヒータエレメント２３０に対するＲＦ電圧の影響を抑制する。このように、第１の支持板２１０及び第２の支持板２７０は、熱拡散の機能と、反り抑制の機能と、ＲＦ電圧に対するシールドの機能と、を有する。
【０１２１】
第１の樹脂層２２０の材料としては、例えばポリイミドやポリアミドイミドなどが挙げられる。第１の樹脂層２２０の厚さ（Ｚ方向の長さ）は、例えば約０．０１ｍｍ以上、０．２０ｍｍ以下程度である。第１の樹脂層２２０は、第１の支持板２１０とヒータエレメント２３０とを互いに接合する。第１の樹脂層２２０は、第１の支持板２１０とヒータエレメント２３０との間を電気的に絶縁する。このように、第１の樹脂層２２０は、電気絶縁の機能と、面接合の機能と、を有する。
【０１２２】
第２の樹脂層２４０の材料および厚さは、第１の樹脂層２２０の材料および厚さとそれぞれ同程度である。第３の樹脂層２６０の材料および厚さは、第１の樹脂層２２０の材料および厚さとそれぞれ同程度である。
【０１２３】
第２の樹脂層２４０は、ヒータエレメント２３０とバイパス層２５０とを互いに接合する。第２の樹脂層２４０は、ヒータエレメント２３０とバイパス層２５０との間を電気的に絶縁する。このように、第２の樹脂層２４０は、電気絶縁の機能と、面接合の機能と、を有する。
【０１２４】
第３の樹脂層２６０は、バイパス層２５０と第２の支持板２７０とを互いに接合する。第３の樹脂層２６０は、バイパス層２５０と第２の支持板２７０との間を電気的に絶縁する。このように、第３の樹脂層２６０は、電気絶縁の機能と、面接合の機能と、を有する。
【０１２５】
ヒータエレメント２３０の材料としては、例えばステンレス、チタン、クロム、ニッケル、銅、およびアルミニウムの少なくともいずれかを含む金属などが挙げられる。ヒータエレメント２３０の厚さ（Ｚ方向の長さ）は、例えば約０．０１ｍｍ以上、０．２０ｍｍ以下程度である。ヒータエレメント２３０は、バイパス層２５０と電気的に接合されている。一方で、ヒータエレメント２３０は、第１の支持板２１０および第２の支持板２７０とは電気的に絶縁されている。ヒータエレメント２３０と、バイパス層２５０と、の間の電気的な接合の詳細については、後述する。
【０１２６】
ヒータエレメント２３０は、電流が流れると発熱し、処理対象物Ｗの温度を制御する。例えば、ヒータエレメント２３０は、処理対象物Ｗを所定の温度に加熱する。例えば、ヒータエレメント２３０は、処理対象物Ｗの面内の温度分布を均一にする。例えば、ヒータエレメント２３０は、処理対象物Ｗの面内の温度に意図的に差をつける。
【０１２７】
バイパス層２５０は、第１の支持板２１０と略平行に配置され、第２の支持板２７０と略平行に配置されている。バイパス層２５０は、複数のバイパス部２５１を有する。バイパス層２５０は、例えば８つのバイパス部２５１を有する。バイパス部２５１の数は、「８」には限定されない。バイパス層２５０は、板状を呈する。これに対して、ヒータエレメント２３０は、帯状のヒータ電極２３９を有する。バイパス層２５０の面（バイパス部２５１の面２５１ａ）に対して垂直にみたときに、バイパス層２５０の面積は、ヒータエレメント２３０の面積（ヒータ電極２３９の面積）よりも広い。この詳細については、後述する。
【０１２８】
バイパス層２５０は、導電性を有する。バイパス層２５０は、第１の支持板２１０および第２の支持板２７０とは電気的に絶縁されている。バイパス層２５０の材料としては、例えばステンレスを含む金属などが挙げられる。バイパス層２５０の厚さ（Ｚ方向の長さ）は、例えば約０．０３ｍｍ以上、０．３０ｍｍ以下程度である。バイパス層２５０の厚さは、第１の樹脂層２２０の厚さよりも厚い。バイパス層２５０の厚さは、第２の樹脂層２４０の厚さよりも厚い。バイパス層２５０の厚さは、第３の樹脂層２６０の厚さよりも厚い。
【０１２９】
例えば、バイパス層２５０の材料は、ヒータエレメント２３０の材料と同じである。一方で、バイパス層２５０の厚さは、ヒータエレメント２３０の厚さよりも厚い。そのため、バイパス層２５０の電気抵抗は、ヒータエレメント２３０の電気抵抗よりも低い。これにより、バイパス層２５０の材料がヒータエレメント２３０の材料と同じ場合でも、バイパス層２５０がヒータエレメント２３０のように発熱することを抑えることができる。つまり、バイパス層２５０の電気抵抗を抑え、バイパス層２５０の発熱量を抑えることができる。なお、バイパス層２５０の電気抵抗を抑え、バイパス層２５０の発熱量を抑える手段は、バイパス層２５０の厚さではなく、体積抵抗率が比較的低い材料を用いることで実現されてもよい。すなわち、バイパス層２５０の材料は、ヒータエレメント２３０の材料と異なってもよい。バイパス層２５０の材料としては、例えばステンレス、チタン、クロム、ニッケル、銅、およびアルミニウムの少なくともいずれかを含む金属などが挙げられる。
【０１３０】
給電端子２８０は、バイパス層２５０と電気的に接合されている。ヒータプレート２００がベースプレート３００とセラミック誘電体基板１００との間に設けられた状態において、給電端子２８０は、ヒータプレート２００からベースプレート３００へ向かって設けられている。給電端子２８０は、静電チャック１０の外部から供給された電力をバイパス層２５０を介してヒータエレメント２３０に供給する。給電端子２８０は、例えば、ヒータエレメント２３０に直接的に接続してもよい。これにより、バイパス層２５０が省略可能となる。
【０１３１】
ヒータプレート２００は、複数の給電端子２８０を有する。図３〜図５に表したヒータプレート２００は、８つの給電端子２８０を有する。給電端子２８０の数は、「８」には限定されない。１つの給電端子２８０は、１つのバイパス部２５１と電気的に接合されている。孔２７３は、第２の支持板２７０を貫通している。給電端子２８０は、孔２７３を通してバイパス部２５１と電気的に接合されている。
【０１３２】
図５に表した矢印Ｃ１および矢印Ｃ２のように、電力が静電チャック１０の外部から給電端子２８０に供給されると、電流は、給電端子２８０からバイパス層２５０へ流れる。図５に表した矢印Ｃ３および矢印Ｃ４のように、バイパス層２５０へ流れた電流は、バイパス層２５０からヒータエレメント２３０へ流れる。図５に表した矢印Ｃ５および矢印Ｃ６のように、ヒータエレメント２３０へ流れた電流は、ヒータエレメント２３０の所定のゾーン（領域）を流れ、ヒータエレメント２３０からバイパス層２５０へ流れる。ヒータエレメント２３０のゾーンの詳細については、後述する。図５に表した矢印Ｃ７および矢印Ｃ８のように、バイパス層２５０へ流れた電流は、バイパス層２５０から給電端子２８０へ流れる。図５に表した矢印Ｃ９のように、給電端子２８０へ流れた電流は、静電チャック１０の外部へ流れる。
【０１３３】
このように、ヒータエレメント２３０とバイパス層２５０との接合部には、電流がヒータエレメント２３０に入る部分と、電流がヒータエレメント２３０から出る部分と、が存在する。つまり、ヒータエレメント２３０とバイパス層２５０との接合部には、ペアが存在する。図３〜図５に表したヒータプレート２００は８つの給電端子２８０を有するため、ヒータエレメント２３０とバイパス層２５０との接合部には、４つのペアが存在する。
【０１３４】
本実施形態によれば、ヒータエレメント２３０は、第１の支持板２１０と、第２の支持板２７０と、の間に設けられている。これにより、ヒータプレート２００の面内の温度分布の均一化を向上させ、処理対象物Ｗの面内の温度分布の均一性を向上させることができる。また、第１の支持板２１０および第２の支持板２７０は、ヒータエレメント２３０およびバイパス層２５０を高周波から遮断し、ヒータエレメント２３０が異常温度に発熱することを抑制することができる。
【０１３５】
前述したように、バイパス層２５０は、ヒータエレメント２３０と、第２の支持板２７０と、の間に設けられている。つまり、バイパス層２５０は、ヒータエレメント２３０と、ベースプレート３００と、の間に設けられている。ステンレスの熱伝導率は、アルミニウムの熱伝導率および銅の熱伝導率よりも低い。そのため、バイパス層２５０は、ヒータエレメント２３０から供給された熱が第２の支持板２７０へ伝わることを抑制する。つまり、バイパス層２５０は、バイパス層２５０からみて第２の支持板２７０の側に対する断熱効果を有し、処理対象物Ｗの面内の温度分布の均一性を向上させることができる。
【０１３６】
バイパス層２５０は、給電端子２８０の配置に対してより大きい自由度を持たせることができる。バイパス層２５０が設けられることで、バイパス層２５０が設けられていない場合と比較して熱容量が大きい給電端子をヒータエレメント２３０に直接接合させなくともよい。これにより、処理対象物Ｗの面内の温度分布の均一性を向上させることができる。また、バイパス層２５０が設けられていない場合と比較して薄いヒータエレメント２３０に給電端子２８０を接合させなくともよい。これにより、ヒータプレート２００の信頼性を向上させることができる。
【０１３７】
前述したように、給電端子２８０は、ヒータプレート２００からベースプレート３００へ向かって設けられている。そのため、ベースプレート３００の下面３０３（図２（ａ）および図２（ｂ）参照）の側からソケットなどと呼ばれる部材を介して給電端子２８０に電力を供給することができる。これにより、静電チャック１０が設置されるチャンバ内に給電端子２８０が露出することを抑えつつ、ヒータの配線が実現される。
【０１３８】
次に、本実施形態のヒータプレート２００の製造方法について、図面を参照しつつ説明する。  
図７は、本実施形態の製造方法の一例を例示する模式的断面図である。  
図８は、本実施形態の製造方法の他の一例を例示する模式的断面図である。  
図７（ａ）は、バイパス層とヒータエレメントとを接合する前の状態を表す模式的断面図である。図７（ｂ）は、バイパス層とヒータエレメントとを接合した後の状態を表す模式的断面図である。図８は、バイパス層と給電端子との接合工程の一例を例示する模式的断面図である。
【０１３９】
本実施形態にかかる静電チャック１０の製造方法では、例えば、まずアルミニウムの機械加工を行うことで、第１の支持板２１０および第２の支持板２７０を製造する。第１の支持板２１０および第２の支持板２７０の検査は、例えば三次元測定器などを用いて行われる。
【０１４０】
次に、例えば、ポリイミドフィルムをレーザ、機械加工、型抜き、あるいは溶解などによりカットすることで、第１の樹脂層２２０、第２の樹脂層２４０、および第３の樹脂層２６０を製造する。第１の樹脂層２２０、第２の樹脂層２４０、および第３の樹脂層２６０の検査は、例えば目視などを用いて行われる。
【０１４１】
次に、ステンレスをフォトリソグラフィ技術や印刷技術を利用しエッチング、機械加工、型抜きなどによりカットすることで、ヒータパターンを形成する。これにより、ヒータエレメント２３０を製造する。また、ヒータエレメント２３０の抵抗値の測定などが行われる。
【０１４２】
続いて、図７（ａ）および図７（ｂ）に表したように、ヒータエレメント２３０とバイパス層２５０との接合を行う。ヒータエレメント２３０とバイパス層２５０との接合は、はんだ付け、ろう付け、溶接、あるいは接触などにより行われる。図７（ａ）に表したように、第２の樹脂層２４０には、孔２４１が設けられている。孔２４１は、第２の樹脂層２４０を貫通している。例えば、図７（ａ）に表した矢印Ｃ１１のように、バイパス層２５０の側からスポット溶接を行うことで、ヒータエレメント２３０とバイパス層２５０とを接合する。
【０１４３】
なお、ヒータエレメント２３０とバイパス層２５０との接合は、溶接には限定されない。例えば、ヒータエレメント２３０とバイパス層２５０との接合は、レーザ光を利用した接合、半田付け、ろう付け、あるいは接触などにより行われてもよい。
【０１４４】
続いて、ヒータプレート２００の各部材を積層し、ホットプレス機によりプレスする。
【０１４５】
続いて、図８に表したように、給電端子２８０とバイパス層２５０との接合を行う。給電端子２８０とバイパス層２５０との接合は、溶接、レーザ、はんだ付け、あるいはろう付けなどにより行われる。図８に表したように、第２の支持板２７０には、孔２７３が設けられている。孔２７３は、第２の支持板２７０を貫通している。これは、図４（ｂ）に関して前述した通りである。第３の樹脂層２６０には、孔２６１が設けられている。孔２６１は、第３の樹脂層２６０を貫通している。図８に表した矢印Ｃ１３のように、第２の支持板２７０から第１の支持板２１０へ向かって溶接、レーザ、はんだ付け、あるいはろう付けなどを行うことで、給電端子２８０とバイパス層２５０とを接合する。
【０１４６】
このようにして、本実施形態のヒータプレート２００が製造される。  
なお、製造後のヒータプレート２００に対しては、検査などが適宜行われる。
【０１４７】
図９は、本実施形態にかかる静電チャックを表す模式的分解図である。  
図１０は、本実施形態にかかる静電チャックを表す電気回路図である。  
図１０（ａ）は、第１の支持板と第２の支持板とが電気的に接合された例を表す電気回路図である。図１０（ｂ）は、第１の支持板と第２の支持板とが電気的に接合されていない例を表す電気回路図である。
【０１４８】
図９および図１０（ａ）に表したように、第１の支持板２１０は、第２の支持板２７０と電気的に接合されている。第１の支持板２１０と第２の支持板２７０との接合は、例えば、溶接、レーザ光を利用した接合、半田付け、あるいは接触などにより行われる。
【０１４９】
例えば、図１０（ｂ）に表したように、第１の支持板２１０が第２の支持板２７０と電気的に確実に接合されていないと、第１の支持板２１０が第２の支持板２７０と電気的に接合されたり、あるいは電気的に接合されなかったりすることがある。すると、プラズマを発生させたときのエッチングレートにばらつきが生ずることがある。また、第１の支持板２１０が第２の支持板２７０と電気的に接合されていなくとも、プラズマを発生させると電流がヒータエレメント２３０に流れ、ヒータエレメント２３０が発熱することがある。言い換えれば、第１の支持板２１０が第２の支持板２７０と電気的に確実に接合されていないと、ヒータエレメント２３０がヒータ用電流以外の電流により発熱することがある。
【０１５０】
これに対して、本実施形態にかかる静電チャック１０では、図１０（ａ）に表したように、第１の支持板２１０は、第２の支持板２７０と電気的に接合されている。これにより、電流が第１の支持板２１０から第２の支持板２７０へ流れ、あるいは電流が第２の支持板２７０から第１の支持板２１０へ流れ、プラズマを発生させたときのエッチングレートにばらつきが生ずることを抑えることができる。また、ヒータエレメント２３０がヒータ用電流以外の電流により発熱することを抑えることができる。
【０１５１】
さらに、ヒータエレメント２３０およびバイパス層２５０を高周波から遮断することができる。これにより、ヒータエレメント２３０が異常温度に発熱することを抑制することができる。また、ヒータプレート２００のインピーダンスを抑えることができる。
【０１５２】
次に、本実施形態のヒータプレート２００の具体例について、図面を参照しつつ説明する。  
図１１は、本実施形態のヒータプレートの具体例を例示する模式的平面図である。  
図１２及び１３は、本具体例のヒータエレメントを例示する模式的平面図である。  
図１４は、本具体例のバイパス層を例示する模式的平面図である。  
図１５は、本具体例のヒータプレートの一部を模式的に表す拡大図である。  
図１１（ａ）は、本具体例のヒータプレートを上面から眺めた模式的平面図である。図１１（ｂ）は、本具体例のヒータプレートを下面から眺めた模式的平面図である。図１２（ａ）は、ヒータエレメントの領域の一例を例示する模式的平面図である。図１２（ｂ）及び図１３は、ヒータエレメントの領域の他の一例を例示する模式的平面図である。
【０１５３】
図１４に表したように、バイパス層２５０の複数のバイパス部２５１のうちの少なくともいずれかは、縁部に切り欠き部２５３を有する。図１３に表したバイパス層２５０では、４個の切り欠き部２５３が設けられている。切り欠き部２５３の数は、「４」には限定されない。  
複数のバイパス層２５０のうちの少なくともいずれかが切り欠き部２５３を有するため、第２の支持板２７０は、第１の支持板２１０と接触可能である。
【０１５４】
図１１（ａ）および図１１（ｂ）に表したように、第１の支持板２１０は、領域Ｂ１１〜領域Ｂ１４および領域Ｂ３１〜領域Ｂ３４において第２の支持板２７０と電気的に接合されている。なお、領域Ｂ１１〜領域Ｂ１４のそれぞれは、領域Ｂ３１〜領域Ｂ３４のそれぞれと対応している。つまり、図１１（ａ）〜図１３に表した具体例では、第１の支持板２１０は、４つの領域で第２の支持板２７０と電気的に接合されており、８つの領域で第２の支持板２７０と電気的に接合されているわけではない。
【０１５５】
図１５（ａ）及び図１５（ｂ）は、領域Ｂ３１（領域Ｂ１１）の一例を表す拡大図である。図１５（ａ）は、領域Ｂ３１の模式的平面図であり、図１５（ｂ）は、領域Ｂ３１の模式的断面図である。図１５（ｂ）は、図１５（ａ）の切断面Ａ２−Ａ２を模式的に表す。なお、他の領域Ｂ１２〜領域Ｂ１４および領域Ｂ３２〜領域Ｂ３４は、領域Ｂ１１、Ｂ３１と同様であるから、詳細な説明は省略する。
【０１５６】
図１５（ａ）及び図１５（ｂ）に表したように、領域Ｂ３１には、接合領域ＪＡが設けられている。接合領域ＪＡは、第１の支持板２１０と第２の支持板２７０とを互いに接合する。接合領域ＪＡは、バイパス層２５０の切り欠き部２５３に対応して第１の支持板２１０及び第２の支持板２７０の外縁に設けられる。接合領域ＪＡは、例えば、第２の支持板２７０側からレーザ溶接することによって形成される。これにより、接合領域ＪＡは、スポット状に形成される。接合領域ＪＡは、第１の支持板２１０側から形成してもよい。なお、接合領域ＪＡの形成方法は、レーザ溶接に限ることなく、他の方法でもよい。接合領域ＪＡの形状は、スポット状に限ることなく、楕円状、半円状、または角形状などでもよい。
【０１５７】
第１の支持板２１０が第２の支持板２７０と接合された接合領域ＪＡの面積は、第１の支持板２１０の面２１１（図３参照）の面積よりも狭い。接合領域ＪＡの面積は、面２１１の面積からヒータエレメント２３０の面積を引いた差分の面積よりも狭い。換言すれば、接合領域ＪＡの面積は、第１の支持板２１０のうちの面２１１と平行な平面に投影した時にヒータエレメント２３０と重ならない領域の面積よりも狭い。第１の支持板２１０が第２の支持板２７０と接合された接合領域ＪＡの面積は、第２の支持板２７０の面２７１（図４（ａ）参照）の面積よりも狭い。接合領域ＪＡの面積は、面２７１の面積からヒータエレメント２３０の面積を引いた差分の面積よりも狭い。換言すれば、接合領域ＪＡの面積は、第２の支持板２７０のうちの面２７１と平行な平面に投影した時にヒータエレメント２３０と重ならない領域の面積よりも狭い。
【０１５８】
スポット状に形成された接合領域ＪＡの直径は、例えば、１ｍｍ（０．５ｍｍ以上３ｍｍ以下）である。一方、第１の支持板２１０及び第２の支持板２７０の直径は、例えば、３００ｍｍである。第１の支持板２１０及び第２の支持板２７０の直径は、保持する処理対象物Ｗに応じて設定される。このように、接合領域ＪＡの面積は、第１の支持板２１０の面２１１の面積及び第２の支持板２７０の面２７１の面積に比べて十分に小さい。接合領域ＪＡの面積は、例えば、面２１１の面積（面２７１の面積）の１／５０００以下である。ここで、接合領域ＪＡの面積とは、より詳しくは、第１の支持板２１０の面２１１と平行な平面に投影した時の面積である。換言すれば、接合領域ＪＡの面積は、上面視における面積である。
【０１５９】
この例では、領域Ｂ１１〜領域Ｂ１４および領域Ｂ３１〜領域Ｂ３４に対応した４つの接合領域ＪＡが設けられる。接合領域ＪＡの数は、４つに限らない。接合領域ＪＡの数は、任意の数でよい。例えば、３０°おきに１２個の接合領域ＪＡを第１の支持板２１０及び第２の支持板２７０に設けてもよい。また、接合領域ＪＡの形状は、スポット状に限らない。接合領域ＪＡの形状は、楕円状、角状、または線状などでもよい。接合領域ＪＡは、例えば、第１の支持板２１０及び第２の支持板２７０の外縁に沿う環状に形成してもよい。
【０１６０】
第２の支持板２７０は、孔２７３（図４（ｂ）および図８参照）を有する。一方で、第１の支持板２１０は、給電端子２８０を通す孔を有していない。そのため、第１の支持板２１０の面２１１の面積は、第２の支持板２７０の面２７１の面積よりも広い。
【０１６１】
ヒータエレメント２３０は、例えば帯状のヒータ電極２３９を有する。図１２（ａ）に表した具体例では、ヒータ電極２３９は、略円を描くように配置されている。ヒータ電極２３９は、第１の領域２３１と、第２の領域２３２と、第３の領域２３３と、第４の領域２３４と、に配置されている。第１の領域２３１は、ヒータエレメント２３０の中央部に位置する。第２の領域２３２は、第１の領域２３１の外側に位置する。第３の領域２３３は、第２の領域２３２の外側に位置する。第４の領域２３４は、第３の領域２３３の外側に位置する。
【０１６２】
第１の領域２３１に配置されたヒータ電極２３９は、第２の領域２３２に配置されたヒータ電極２３９とは電気的に接合されていない。第２の領域２３２に配置されたヒータ電極２３９は、第３の領域２３３に配置されたヒータ電極２３９とは電気的に接合されていない。第３の領域２３３に配置されたヒータ電極２３９は、第４の領域２３４に配置されたヒータ電極２３９とは電気的に接合されていない。つまり、ヒータ電極２３９は、複数の領域において互いに独立した状態で設けられている。
【０１６３】
図１２（ｂ）に表した具体例では、ヒータ電極２３９は、略扇形の少なくとも一部を描くように配置されている。ヒータ電極２３９は、第１の領域２３１ａと、第２の領域２３１ｂと、第３の領域２３１ｃと、第４の領域２３１ｄと、第５の領域２３１ｅと、第６の領域２３１ｆと、第７の領域２３２ａと、第８の領域２３２ｂと、第９の領域２３２ｃと、第１０の領域２３２ｄと、第１１の領域２３２ｅと、第１２の領域２３２ｆと、に配置されている。任意の領域に配置されたヒータ電極２３９は、他の領域に配置されたヒータ電極２３９とは電気的に接合されていない。つまり、ヒータ電極２３９は、複数の領域において互いに独立した状態で設けられている。図１２（ａ）および図１２（ｂ）に表したように、ヒータ電極２３９が配置される領域は、特には限定されない。
【０１６４】
図１３に表した具体例では、ヒータエレメント２３０がさらに多くの領域を有する。図１３のヒータエレメント２３０では、図１２（ａ）で示した第１の領域２３１が、さらに４つの領域２３１ａ〜２３１ｄに分割されている。また、図１２（ａ）で示した第２の領域２３２が、さらに８つの領域２３２ａ〜２３２ｈに分割されている。また、図１２（ａ）で示した第３の領域２３３が、さらに８つの領域２３３ａ〜２３３ｈに分割されている。そして、図１２（ａ）で示した第４の領域２３４が、さらに１６の領域２３４ａ〜２３４ｐに分割されている。このように、ヒータ電極２３９が配置されるヒータエレメント２３０の領域の数及び形状は、任意でよい。
【０１６５】
図１４（ａ）に表したように、バイパス層２５０のバイパス部２５１は、扇形を呈する。複数の扇形のバイパス部２５１が互いに離間して並べられ、バイパス層２５０は、全体として略円形を呈する。図１４（ａ）に表したように、隣り合うバイパス部２５１の間の離間部分２５７は、バイパス層２５０の中心２５９から径方向に延在している。言い換えれば、隣り合うバイパス部２５１の間の離間部分２５７は、バイパス層２５０の中心２５９から放射状に延在している。バイパス部２５１の面２５１ａの面積は、離間部分２５７の面積よりも広い。バイパス層２５０の面積（バイパス部２５１の面２５１ａの面積）は、ヒータエレメント２３０の面積（ヒータ電極２３９の面積）よりも広い。
【０１６６】
図１４（ｂ）に表したように、バイパス層２５０の複数のバイパス部２５１の形状は、例えば、湾曲した扇形状でもよい。このように、バイパス層２５０に設けられる複数のバイパス部２５１の数及び形状は、任意でよい。
【０１６７】
図１１〜図１４に関する以下の説明では、図１２（ａ）に表したヒータエレメント２３０の領域を例に挙げる。ヒータ電極２３９が略円を描くように配置され、複数の扇形のバイパス部２５１が互いに離間して並べられている。そのため、バイパス部２５１の面２５１ａに対して垂直にみたときに、ヒータ電極２３９は、隣り合うバイパス部２５１の間の離間部分２５７と交差する。また、バイパス部２５１の面２５１ａに対して垂直にみたときに、隣り合うヒータエレメント２３０の各領域（第１の領域２３１、第２の領域２３２、第３の領域２３３、および第４の領域２３４）の間の離間部分２３５は、隣り合うバイパス部２５１の間の離間部分２５７と交差する。
【０１６８】
図１１（ａ）および図１１（ｂ）に表したように、ヒータエレメント２３０とバイパス層２５０との接合部２５５ａ〜２５５ｈのそれぞれと、ヒータプレート２００の中心２０３と、を結ぶ複数の仮想線は、互いに重ならない。言い換えれば、ヒータエレメント２３０とバイパス層２５０との接合部２５５ａ〜２５５ｈは、ヒータプレート２００の中心２０３からみて互いに異なる方向に配置されている。図１１（ｂ）に表したように、給電端子２８０は、接合部２５５ａ〜２５５ｈのそれぞれと、ヒータプレート２００の中心２０３と、を結ぶ仮想線の上に存在する。
【０１６９】
接合部２５５ａ、２５５ｂは、第１の領域２３１に配置されたヒータ電極２３９とバイパス層２５０とを接合する部分である。接合部２５５ａ、２５５ｂは、第１の領域２３１に対応している。接合部２５５ａおよび接合部２５５ｂのいずれか一方は、電流がヒータエレメント２３０に入る部分である。接合部２５５ａおよび接合部２５５ｂのいずれか他方は、電流がヒータエレメント２３０から出る部分である。
【０１７０】
接合部２５５ｃ、２５５ｄは、第２の領域２３２に配置されたヒータ電極２３９とバイパス層２５０とを接合する部分である。接合部２５５ｃ、２５５ｄは、第２の領域２３２に対応している。接合部２５５ｃおよび接合部２５５ｄのいずれか一方は、電流がヒータエレメント２３０に入る部分である。接合部２５５ｃおよび接合部２５５ｄのいずれか他方は、電流がヒータエレメント２３０から出る部分である。
【０１７１】
接合部２５５ｅ、２５５ｆは、第３の領域２３３に配置されたヒータ電極２３９とバイパス層２５０とを接合する部分である。接合部２５５ｅ、２５５ｆは、第３の領域２３３に対応している。接合部２５５ｅおよび接合部２５５ｆのいずれか一方は、電流がヒータエレメント２３０に入る部分である。接合部２５５ｅおよび接合部２５５ｆのいずれか他方は、電流がヒータエレメント２３０から出る部分である。
【０１７２】
接合部２５５ｇ、２５５ｈは、第４の領域２３４に配置されたヒータ電極２３９とバイパス層２５０とを接合する部分である。接合部２５５ｇ、２５５ｈは、第４の領域２３４に対応している。接合部２５５ｇおよび接合部２５５ｈのいずれか一方は、電流がヒータエレメント２３０に入る部分である。接合部２５５ｇおよび接合部２５ｈのいずれか他方は、電流がヒータエレメント２３０から出る部分である。
【０１７３】
接合部２５５ａ、２５５ｂは、ヒータプレート２００の中心２０３を中心とし接合部２５５ｃ、２５５ｄを通る円とは異なる円の上に存在する。接合部２５５ａ、２５５ｂは、ヒータプレート２００の中心２０３を中心とし接合部２５５ｅ、２５５ｆを通る円とは異なる円の上に存在する。接合部２５５ａ、２５５ｂは、ヒータプレート２００の中心２０３を中心とし接合部２５５ｇ、２５５ｈを通る円とは異なる円の上に存在する。  
接合部２５５ｃ、２５５ｄは、ヒータプレート２００の中心２０３を中心とし接合部２５５ｅ、２５５ｆを通る円とは異なる円の上に存在する。接合部２５５ｃ、２５５ｄは、ヒータプレート２００の中心２０３を中心とし接合部２５５ｇ、２５５ｈを通る円とは異なる円の上に存在する。  
接合部２５５ｅ、２５５ｆは、ヒータプレート２００の中心２０３を中心とし接合部２５５ｇ、２５５ｈを通る円とは異なる円の上に存在する。
【０１７４】
図１１（ａ）および図１１（ｂ）に表したように、ヒータプレート２００は、リフトピン孔２０１を有する。図１１（ａ）および図１１（ｂ）に表した具体例では、ヒータプレート２００は、３つのリフトピン孔２０１を有する。リフトピン孔２０１の数は、「３」には限定されない。給電端子２８０は、リフトピン孔２０１からみてヒータプレート２００の中心２０３の側の領域に設けられている。
【０１７５】
本具体例によれば、ヒータ電極２３９が、複数の領域に配置されているため、処理対象物Ｗの面内の温度を各領域ごとに独立して制御することができる。これにより、処理対象物Ｗの面内の温度に意図的に差をつけることができる（温度制御性）。
【０１７６】
本実施形態に係るヒータプレート２００の構造について、図面を参照しつつ、さらに説明する。  
図１６（ａ）〜図１６（ｄ）は、本実施形態のヒータプレートの一部を表す断面図である。  
図１６（ａ）は、ヒータエレメント２３０の一部を表し、図１６（ｂ）は、バイパス層２５０の一部を表す。また、図１６（ｃ）は、ヒータエレメント２３０及びバイパス層２５０の一部を表し、図１６（ｄ）は、ヒータエレメント２３０及びバイパス層２５０の変形例を表す。  
本実施形態において、ヒータ電極２３９は、複数の領域に独立して配置されている。例えば、図１６（ａ）及び図１６（ｃ）に表したように、ヒータ電極２３９（ヒータエレメント２３０）は、第１の導電部２１と、第２の導電部２２と、を有する。第２の導電部２２は、第１主面１０１と平行な面内方向Ｄｐ（例えばＸ方向）において第１の導電部２１と離間している。第１の導電部２１及び第２の導電部２２は、ヒータ電極２３９の一部である。第１の導電部２１と第２の導電部２２との間の距離Ｌ１（第１の導電部２１と第２の導電部２２との間の離間部分の幅）は、例えば、５００μｍ以上である。このように、ヒータ電極２３９が、複数の領域に配置されることによって、処理対象物Ｗの面内の温度を各領域ごとに制御することができる。
【０１７７】
各ヒータ電極２３９のそれぞれは、第１面Ｐ１と、第２面Ｐ２と、を有する。第１面Ｐ１は、第１の樹脂層２２０と対向する。第２面Ｐ２は、第１面Ｐ１と反対側を向く。すなわち、第２面Ｐ２は、第２の樹脂層２４０と対向する。
【０１７８】
第１面Ｐ１の幅Ｗ１は、第２面Ｐ２の幅Ｗ２と異なる。この例において、第１面Ｐ１の幅Ｗ１は、第２面Ｐ２の幅Ｗ２よりも狭い。すなわち、ヒータ電極２３９の幅は、上方（セラミック誘電体基板１００側）に向かうほど狭くなる。
【０１７９】
各ヒータ電極２３９は、第１面Ｐ１と第２面Ｐ２とを接続する一対の側面ＳＦ１を有する。各側面ＳＦ１は、例えば、凹曲面状である。各側面ＳＦ１は、例えば、平面状でもよい。第１面Ｐ１と側面ＳＦ１との成す角度θ１は、第２面Ｐ２と側面ＳＦ１との成す角度θ２と異なる。また、側面ＳＦ１の表面粗さは、第１面Ｐ１及び第２面Ｐ２の少なくとも一方の表面粗さよりも粗い。
【０１８０】
ヒータプレート２００は、樹脂部２２２をさらに有する。樹脂部２２２は、第１の導電部２１と第２の導電部２２との間に設けられる。換言すれば、樹脂部２２２は、各ヒータ電極２３９のそれぞれの間に設けられる。樹脂部２２２は、各ヒータ電極２３９の間に充填される。樹脂部２２２の材料は、第１の樹脂層２２０の材料と異なる。樹脂部２２２の材料は、第２の樹脂層２４０の材料と異なる。材料が異なるとは組成が異なること、物性（例えば融点やガラス転移点など）が異なること、もしくは熱履歴が異なることである。熱履歴が異なる２つの材料間には界面が存在する。樹脂部２２２の組成は、第１の樹脂層２２０及び第２の樹脂層２４０の組成と異なる。樹脂部２２２の熱履歴は、第１の樹脂層２２０及び第２の樹脂層２４０の熱履歴と異なる。
【０１８１】
例えば、樹脂部２２２が第１の樹脂層２２０に含まれる成分と異なる成分を含む場合、樹脂部２２２の材料は第１の樹脂層２２０の材料と異なる。樹脂部２２２が第１の樹脂層２２０の成分と同じ成分を含む場合でも、樹脂部２２２における当該成分の組成比（濃度）が第１の樹脂層２２０における当該成分の組成比（濃度）と異なる場合、樹脂部２２２の材料は第１の樹脂層２２０の材料と異なる。また、例えば、第１の樹脂層２２０が複数の層を含む場合でも、当該複数の層の少なくともいずれかの材料と樹脂部２２２の材料とが異なる場合、樹脂部２２２の材料は、第１の樹脂層２２０の材料と異なる。樹脂部２２２のガラス転移点（又は融点）は、例えば、第１の樹脂層２２０のガラス転移点（又は融点）よりも低い。樹脂部２２２の材料と第２の樹脂層２２０の材料が異なるという場合も、上記と同様である。
【０１８２】
樹脂部２２２には、例えば、ポリイミドやシリコーン、エポキシ、アクリルなどが用いられる。例えば、ポリイミドフィルム、発泡接着剤シート、シリコーン又はエポキシを含む接着剤などを用いることができる。
【０１８３】
第１面Ｐ１は、例えば、第１の樹脂層２２０に接触する。第２面Ｐ２は、例えば、第２の樹脂層２４０に接触する。この場合、第１面Ｐ１と第１の樹脂層２２０との間の間隔は、第２面Ｐ２と第２の樹脂層２４０との間の間隔と等しい。
【０１８４】
図１６（ｂ）及び図１６（ｃ）に表したように、バイパス部２５１（バイパス層２５０）は、第３の導電部２３と、第４の導電部２４と、を有する。第４の導電部２４は、面内方向Ｄｐ（例えばＸ方向）において第３の導電部２３と離間している。第３の導電部２３及び第４の導電部２４は、バイパス部２５１の一部である。
【０１８５】
各バイパス部２５１のそれぞれは、第３面Ｐ３と、第４面Ｐ４と、を有する。第３面Ｐ３は、第２の樹脂層２４０と対向する。第４面Ｐ４は、第３面Ｐ３と反対側を向く。すなわち、第４面Ｐ４は、第３の樹脂層２６０と対向する。
【０１８６】
第３面Ｐ３の幅Ｗ３は、第４面Ｐ４の幅Ｗ４と異なる。この例において、第３面Ｐ３の幅Ｗ３は、第４面Ｐ４の幅Ｗ４よりも狭い。すなわち、バイパス部２５１の幅は、上方（セラミック誘電体基板１００側）に向かうほど狭くなる。この例において、第３面Ｐ３の第４面Ｐ４に対する幅の大小関係は、第１面Ｐ１の第２面Ｐ２に対する幅の大小関係と同じである。
【０１８７】
各バイパス部２５１は、第３面Ｐ３と第４面Ｐ４とを接続する一対の側面ＳＦ２を有する。各側面ＳＦ２は、例えば、凹曲面状である。各側面ＳＦ２は、例えば、平面状でもよい。第３面Ｐ３と側面ＳＦ２との成す角度θ３は、第４面Ｐ４と側面ＳＦ２との成す角度θ４と異なる。また、側面ＳＦ２の表面粗さは、第３面Ｐ３及び第４面Ｐ４の少なくとも一方の表面粗さよりも粗い。
【０１８８】
ヒータプレート２００は、樹脂部２２４（バイパス樹脂部）をさらに有する。樹脂部２２４は、第３の導電部２３と第４の導電部２４との間に設けられる。換言すれば、樹脂部２２４は、各バイパス部２５１のそれぞれの間に設けられる。樹脂部２２４は、各バイパス部２５１の間に充填される。樹脂部２２４の材料は、第２の樹脂層２４０の材料と異なる。樹脂部２２４の材料は、第３の樹脂層２６０の材料と異なる。材料が異なるとは組成が異なること、物性（例えば融点やガラス転移点など）が異なること、もしくは熱履歴が異なることである。熱履歴が異なる２つの材料間には界面が存在する。樹脂部２２４の組成は、第２の樹脂層２４０及び第３の樹脂層２６０の組成と異なる。樹脂部２２４の熱履歴は、第１の樹脂層２４０及び第３の樹脂層２６０の熱履歴と異なる。
【０１８９】
例えば、樹脂部２２４が第２の樹脂層２４０に含まれる成分と異なる成分を含む場合、樹脂部２２４の材料は第２の樹脂層２４０の材料と異なる。樹脂部２２４が第２の樹脂層２４０の成分と同じ成分を含む場合でも、樹脂部２２４における当該成分の組成比（濃度）が第２の樹脂層２４０における当該成分の組成比（濃度）と異なる場合、樹脂部２２４の材料は第２の樹脂層２４０の材料と異なる。また、例えば、第２の樹脂層２４０が複数の層を含む場合でも、当該複数の層の少なくともいずれかの材料と樹脂部２２４の材料とが異なる場合、樹脂部２２４の材料は、第２の樹脂層２４０の材料と異なる。樹脂部２２４のガラス転移点（又は融点）は、例えば、第２の樹脂層２４０のガラス転移点（又は融点）よりも低い。樹脂部２２４の材料と第３の樹脂層２６０の材料が異なるという場合も、上記と同様である。
【０１９０】
樹脂部２２４には、例えば、ポリイミドやシリコーン、エポキシ、アクリルなどが用いられる。例えば、ポリイミドフィルム、発泡接着剤シート、シリコーン又はエポキシを含む接着剤などを用いることができる。
【０１９１】
第３面Ｐ３は、例えば、第２の樹脂層２４０に接触する。第４面Ｐ４は、例えば、第３の樹脂層２６０に接触する。この場合、第３面Ｐ３と第２の樹脂層２４０との間の間隔は、第４面Ｐ４と第３の樹脂層２６０との間の間隔と等しい。
【０１９２】
このように、本実施形態に係る静電チャック１０では、第１面Ｐ１の幅Ｗ１が、第２面Ｐ２の幅Ｗ２と異なる。これにより、熱膨張によってヒータエレメント２３０が変形しても、第１の樹脂層２２０などに掛かる応力を低減することができる。これにより、ヒータエレメント２３０に近接する層（例えば、第１の樹脂層２２０）の剥離を抑制することができる。剥離によって生じる処理対象物の温度変化を抑制することができる。従って、静電チャックの信頼性を向上させることができる。
【０１９３】
また、静電チャック１０では、第１面Ｐ１の幅Ｗ１が、第２面Ｐ２の幅Ｗ２よりも狭い。これにより、第１面Ｐ１との接触面積が小さくなり、第１面Ｐ１に接触する層に加わる応力を低減し、第１面Ｐ１に接触する層の剥離を抑制することができる。例えば、第１の樹脂層２２０の剥離を抑制することができる。また、ベースプレート３００に熱が逃げやすい第２面Ｐ２側の発熱量が、第１面Ｐ１側の発熱量よりも多くなり、第１面Ｐ１及び第２面Ｐ２に対して垂直な方向（Ｚ方向）における熱分布のバラツキを抑制することができる。例えば、均熱性をより向上させることができる。
【０１９４】
また、静電チャック１０では、側面ＳＦ１が、凹曲面状である。これにより、側面ＳＦ１に近接する層に加わる応力を低減し、側面ＳＦ１に近接する層の剥離を抑制することができる。例えば、側面ＳＦ１と樹脂部２２２との剥離を抑制することができる。
【０１９５】
また、静電チャック１０では、第１面Ｐ１と側面ＳＦ１との成す角度θ１が、第２面Ｐ２と側面ＳＦ１との成す角度θ２と異なる。これにより、熱膨張によるヒーター変形による樹脂層への応力の緩和により、ヒーターエレメント２３０に近接する第１の樹脂層２２０及び第２の樹脂層２４０の剥離の低減と、均熱性や温度追従性といった熱的特性を両立することができる。
【０１９６】
また、静電チャック１０では、側面ＳＦ１の表面粗さが、第１面Ｐ１及び第２面Ｐ２の少なくとも一方の表面粗さよりも粗い。これにより、側面ＳＦ１部分での密着性を向上させ、ヒータエレメント２３０に近接する層の剥離をより抑制することができる。例えば、側面ＳＦ１と樹脂部２２２との剥離をより抑制することができる。
【０１９７】
また、静電チャック１０では、以上説明した、側面ＳＦ１が凹面形状であること、側面ＳＦ１の表面粗さが、第１面Ｐ１及び第２面Ｐ２の少なくとも一方の表面粗さよりも粗いこと、第１面Ｐ１の幅Ｗ１が、第２面Ｐ２の幅Ｗ２よりも狭いこと、及び、第１面Ｐ１と側面ＳＦ１との成す角度θ１が、第２面Ｐ２と側面ＳＦ１との成す角度θ２と異なることによる応力緩和及び密着性の相乗効果により、静電チャックの信頼性をより向上させることができる。
【０１９８】
また、静電チャック１０では、ヒータプレート２００が、第１の導電部２１と第２の導電部２２との間に設けられた樹脂部２２２をさらに有する。これにより、第１の導電部２１と第２の導電部２２との間の熱伝導、熱容量をコントロールでき、均熱性と熱伝導性を両立したヒーター構造を達成することができる。
【０１９９】
また、静電チャック１０では、第１面Ｐ１と第１の樹脂層２２０との間の間隔が、第２面Ｐ２と第２の樹脂層２４０との間の間隔と等しい。これにより、熱容量を小さくし、熱追従性を向上させることができる。
【０２００】
また、静電チャック１０では、ヒータプレート２００が、第３の導電部２３と第４の導電部２４との間に設けられた樹脂部２２４をさらに有する。これにより、各バイパス部２５１の間の熱伝導、熱容量をコントロールでき、均熱性と熱伝導性を両立したヒーター構造を達成することができる。
【０２０１】
また、静電チャック１０では、第３面Ｐ３と第２の樹脂層２４０との間の間隔が、第４面Ｐ４と第３の樹脂層２６０との間の間隔と等しい。これにより、熱容量を小さくし、熱追従性を向上させることができる。
【０２０２】
また、静電チャック１０では、第３面Ｐ３の第４面Ｐ４に対する幅の大小関係が、第１面Ｐ１の第２面Ｐ２に対する幅の大小関係と同じである。そして、静電チャック１０では、第１面Ｐ１及び第３面Ｐ３の幅が、第２面Ｐ２及び第４面Ｐ４の幅よりも狭い。この場合、Ｚ方向における熱分布のバラツキをより抑制することができる。
【０２０３】
なお、図１６（ａ）〜図１６（ｃ）では、バイパス層２５０の上にヒータエレメント２３０を設けている。これに限ることなく、例えば、図１６（ｄ）に表したように、ヒータエレメント２３０の上にバイパス層２５０を設けてもよい。
【０２０４】
図１７（ａ）〜図１７（ｄ）は、本実施形態のヒータプレートの変形例を表す断面図である。  
図１７（ａ）及び図１７（ｃ）に表したように、この例において、第１面Ｐ１の幅Ｗ１は、第２面Ｐ２の幅Ｗ２よりも広い。すなわち、ヒータ電極２３９の幅は、下方（べースプレート３００側）に向かうほど狭くなる。同様に、図１７（ｂ）及び図１７（ｃ）に表したように、第３面Ｐ３の幅Ｗ３は、第４面Ｐ４の幅Ｗ４よりも広い。バイパス部２５１の幅は、下方に向かうほど狭くなる。
【０２０５】
このように、第１面Ｐ１の幅Ｗ１は、第２面Ｐ２の幅Ｗ２より広くてもよい。この場合、第２面Ｐ２に接触する層に加わる応力を低減し、第２面Ｐ２に接触する層の剥離を抑制することができる。また、第１面Ｐ１側において熱を持ち易くするとともに、第２面Ｐ２側において熱を冷まし易くし、温度追従性（ランプレート）をより向上させることができる。
【０２０６】
また、この例では、第３面Ｐ３の第４面Ｐ４に対する幅の大小関係が、第１面Ｐ１の第２面Ｐ２に対する幅の大小関係と同じであり、第１面Ｐ１及び第３面Ｐ３の幅が、第２面Ｐ２及び第４面Ｐ４の幅よりも広い。この場合には、第１面Ｐ１及び第３面Ｐ３側において熱を持ち易くするとともに、第２面Ｐ２及び第４面Ｐ４側において熱を冷まし易くし、温度追従性をより向上させることができる。また、図１７（ｄ）に表したように、バイパス層２５０は、ヒータエレメント２３０の上に設けてもよい。
【０２０７】
図１８（ａ）〜図１８（ｄ）は、本実施形態のヒータプレートの変形例を表す断面図である。  
図１８（ａ）及び図１８（ｃ）に表したように、この例において、第１面Ｐ１の幅Ｗ１は、第２面Ｐ２の幅Ｗ２よりも狭い。一方、図１８（ｂ）及び図１８（ｃ）に表したように、第３面Ｐ３の幅Ｗ３は、第４面Ｐ４の幅Ｗ４よりも広い。この例において、第３面Ｐ３の第４面Ｐ４に対する幅の大小関係は、第１面Ｐ１の第２面Ｐ２に対する幅の大小関係と反対である。
【０２０８】
このように、第３面Ｐ３の第４面Ｐ４に対する幅の大小関係は、第１面Ｐ１の第２面Ｐ２に対する幅の大小関係と反対でもよい。この場合、バイパス層２５０の熱膨張によって加わる応力の方向を、ヒータエレメント２３０の熱膨張によって加わる応力の方向と逆向きにすることができる。これにより、応力の影響をより抑制することができる。なお、図１８（ｄ）に表したように、バイパス層２５０をヒータエレメント２３０の上に設け、第１面Ｐ１の幅Ｗ１を第２面Ｐ２の幅Ｗ２よりも広くし、第３面Ｐ３の幅Ｗ３を第４面Ｐ４の幅Ｗ４より狭くしてもよい。
【０２０９】
図１９（ａ）〜図１９（ｄ）は、本実施形態のヒータプレートの変形例を表す断面図である。  
図１９（ａ）〜図１９（ｃ）に表したように、上記とは反対に、第１面Ｐ１の幅Ｗ１を、第２面Ｐ２の幅Ｗ２より広くし、第３面Ｐ３の幅Ｗ３を、第４面Ｐ４の幅Ｗ４より狭くしてもよい。図１９（ｄ）に表したように、バイパス層２５０をヒータエレメント２３０の上に設け、第１面Ｐ１の幅Ｗ１を第２面Ｐ２の幅Ｗ２よりも狭くし、第３面Ｐ３の幅Ｗ３を第４面Ｐ４の幅Ｗ４より広くしてもよい。
【０２１０】
図２０（ａ）及び図２０（ｂ）は、本実施形態のヒータプレートの変形例を表す断面図である。  
図２０（ａ）に表したように、この例において、第１面Ｐ１の幅Ｗ１は、第２面Ｐ２の幅Ｗ２よりも狭い。そして、この例では、ヒータエレメント２３０が、第１の樹脂層２２０と離間している。第１面Ｐ１と第１の樹脂層２２０との間の間隔は、第２面Ｐ２と第２の樹脂層２４０との間の間隔よりも広い。
【０２１１】
樹脂部２２２は、ヒータ電極２３９（ヒータエレメント２３０）と第１の樹脂層２２０との間に延在している。樹脂部２２２の第１の導電部２１と第２の導電部２２との間の部分の厚さＴＮ１は、樹脂部２２２のヒータ電極２３９と第１の樹脂層２２０との間の部分の厚さＴＮ２よりも厚い。
【０２１２】
図２０（ｂ）に表したように、この例において、第３面Ｐ３の幅Ｗ３は、第４面Ｐ４の幅Ｗ４よりも狭い。そして、この例では、バイパス層２５０が、第２の樹脂層２４０と離間している。第３面Ｐ３と第２の樹脂層２４０との間の間隔は、第４面Ｐ４と第３の樹脂層２６０との間の間隔よりも広い。
【０２１３】
樹脂部２２４は、バイパス部２５１（バイパス層２５０）と第２の樹脂層２４０との間に延在している。樹脂部２２４の第３の導電部２３と第４の導電部２４との間の部分の厚さＴＮ３（各バイパス部２５１の間の部分の厚さ）は、樹脂部２２４のバイパス部２５１と第２の樹脂層２４０との間の部分の厚さＴＮ４よりも厚い。
【０２１４】
このように、第１面Ｐ１の幅Ｗ１を、第２面Ｐ２の幅Ｗ２よりも狭くし、第１面Ｐ１と第１の樹脂層２２０との間の間隔を、第２面Ｐ２と第２の樹脂層２４０との間の間隔よりも広くする。これにより、樹脂部２２２の領域が増えるため、面内方向Ｄｐへの応力に対する信頼性を向上させることができる。さらに、第１面Ｐ１と第１の樹脂層２２０との間の間隔を広くすることにより、ヒータエレメント２３０と処理対処物Ｗ間の熱容量を大きくし、より均熱性を向上させることができる。
【０２１５】
また、樹脂部２２２の第１の導電部２１と第２の導電部２２との間の部分の厚さＴＮ１を、樹脂部２２２のヒータ電極２３９と第１の樹脂層２２０との間の部分の厚さＴＮ２よりも厚くする。このように、ヒータエレメント２３０と第１の樹脂層２２０との間の部分の樹脂部２２２の厚さを薄くすることにより、温度制御性を向上させることができる。そして、第１の導電部２１と第２の導電部２２との間の部分の樹脂部２２２の厚さを厚くすることにより、均熱性を向上させることができる。均熱性と熱伝導性とをより向上させることができる。
【０２１６】
また、第３面Ｐ３の幅Ｗ３を、第４面Ｐ４の幅Ｗ４よりも狭くし、第３面Ｐ３と第２の樹脂層２４０との間の間隔を、第４面Ｐ４と第３の樹脂層２６０との間の間隔よりも広くする。これにより、樹脂部２２４の領域が増えるため、面内方向Ｄｐへの応力に対する信頼性を向上させることができる。さらに、第３面Ｐ３と第２の樹脂層２４０との間の間隔を広くすることにより、ヒータエレメント２３０と処理対処物Ｗ間の熱容量を大きくし、より均熱性を向上させることができる。
【０２１７】
また、樹脂部２２４の第３の導電部２３と第４の導電部２４との間の部分の厚さＴＮ３を、樹脂部２２４のバイパス部２５１と第２の樹脂層２４０との間の部分の厚さＴＮ４よりも厚くする。このように、バイパス層２５０と第２の樹脂層２４０との間の部分の樹脂部２２４の厚さを薄くすることにより、温度制御性を向上させることができる。そして、各バイパス部２５１の間の部分の樹脂部２２４の厚さを厚くすることにより、均熱性を向上させることができる。均熱性と熱伝導性とをより向上させることができる。
【０２１８】
図２１（ａ）及び図２１（ｂ）は、本実施形態のヒータプレートの変形例を表す断面図である。  
図２１（ａ）に表したように、この例において、第１面Ｐ１の幅Ｗ１は、第２面Ｐ２の幅Ｗ２よりも広い。そして、この例では、ヒータエレメント２３０が、第２の樹脂層２４０と離間している。第１面Ｐ１と第１の樹脂層２２０との間の間隔は、第２面Ｐ２と第２の樹脂層２４０との間の間隔よりも狭い。
【０２１９】
樹脂部２２２は、ヒータ電極２３９（ヒータエレメント２３０）と第２の樹脂層２４０との間に延在している。樹脂部２２２の第１の導電部２１と第２の導電部２２との間の部分の厚さＴＮ１は、樹脂部２２２のヒータ電極２３９と第２の樹脂層２４０との間の部分の厚さＴＮ５よりも厚い。
【０２２０】
図２１（ｂ）に表したように、この例において、第３面Ｐ３の幅Ｗ３は、第４面Ｐ４の幅Ｗ４よりも広い。そして、この例では、バイパス層２５０が、第３の樹脂層２６０と離間している。第３面Ｐ３と第２の樹脂層２４０との間の間隔は、第４面Ｐ４と第３の樹脂層２６０との間の間隔よりも狭い。
【０２２１】
樹脂部２２４は、バイパス部２５１（バイパス層２５０）と第３の樹脂層２６０との間に延在している。樹脂部２２４の第３の導電部２３と第４の導電部２４との間の部分の厚さＴＮ３（各バイパス部２５１の間の部分の厚さ）は、樹脂部２２４のバイパス部２５１と第３の樹脂層２６０との間の部分の厚さＴＮ６よりも厚い。
【０２２２】
このように、第１面Ｐ１の幅Ｗ１を、第２面Ｐ２の幅Ｗ２よりも広くし、第１面Ｐ１と第１の樹脂層２２０との間の間隔を、第２面Ｐ２と第２の樹脂層２４０との間の間隔よりも狭くする。これにより、樹脂部２２２の領域が増えるため、面内方向Ｄｐへの応力に対する信頼性を向上させることができる。さらに、第２面Ｗ２と第２の樹脂層２４０との間の間隔を広くすることにより、ヒータエレメント２３０とベースプレート３００間の熱容量を大きくし、ヒータエレメント２３０よりも処理対象物Ｗ側の部分を熱的に浮かすことができ、高温領域において使用し易くすることができる。なお、高温領域での使用とは、より具体的には、１００℃以上での使用である。
【０２２３】
また、樹脂部２２２の第１の導電部２１と第２の導電部２２との間の部分の厚さＴＮ１を、樹脂部２２２のヒータ電極２３９と第２の樹脂層２４０との間の部分の厚さＴＮ５よりも厚くする。このように、ヒータエレメント２３０と第２の樹脂層２４０との間の部分の樹脂部２２２の厚さを薄くすることにより、温度制御性を向上させることができる。そして、第１の導電部２１と第２の導電部２２との間の部分の樹脂部２２２の厚さを厚くすることにより、均熱性を向上させることができる。均熱性と熱伝導性とをより向上させることができる。
【０２２４】
また、第３面Ｐ３の幅Ｗ３を、第４面Ｐ４の幅Ｗ４よりも広くし、第３面Ｐ３と第２の樹脂層２４０との間の間隔を、第４面Ｐ４と第３の樹脂層２６０との間の間隔よりも狭くする。これにより、樹脂部２２４の領域が増えるため、面内方向Ｄｐへの応力に対する信頼性を向上させることができる。さらに、第４面Ｐ４と第３の樹脂層２６０との間の間隔を広くすることにより、ヒータエレメント２３０とベースプレート３００間の熱容量を大きくし、ヒータエレメント２３０よりも処理対象物Ｗ側の部分を熱的に浮かすことができ、高温領域において使用し易くすることができる。なお、高温領域での使用とは、より具体的には、１００℃以上での使用である。
【０２２５】
樹脂部２２４の第３の導電部２３と第４の導電部２４との間の部分の厚さＴＮ３を、樹脂部２２４のバイパス部２５１と第３の樹脂層２６０との間の部分の厚さＴＮ６よりも厚くする。このように、バイパス層２５０と第３の樹脂層２６０との間の部分の樹脂部２２４の厚さを薄くすることにより、温度制御性を向上させることができる。そして、各バイパス部２５１の間の部分の樹脂部２２４の厚さを厚くすることにより、均熱性を向上させることができる。均熱性と熱伝導性とをより向上させることができる。
【０２２６】
図２２（ａ）及び図２２（ｂ）は、本実施形態のヒータプレートの変形例を表す断面図である。  
図２２（ａ）に表したように、この例において、第１の樹脂層２２０は、第１の導電部２１と第２の導電部２２との間の部分（各ヒータ電極２３９の間の部分）に入り込んでいる。同様に、第２の樹脂層２４０は、第１の導電部２１と第２の導電部２２との間の部分に入り込んでいる。すなわち、第１の樹脂層２２０及び第２の樹脂層２４０には、各ヒータ電極２３９の形状に応じた凹凸が形成されている。
【０２２７】
第１の樹脂層２２０及び第２の樹脂層２４０の凹凸にともない、この例では、樹脂部２２２の厚さが、幅方向（面内方向Ｄｐ）において変化する。樹脂部２２２の第１の導電部２１と第２の導電部２２との間の中央部分の厚さＴＮ１１は、樹脂部２２２の第１の導電部２１と隣接する部分の厚さＴＮ１２よりも薄い。同様に、樹脂部２２２の第１の導電部２１と第２の導電部２２との間の中央部分の厚さＴＮ１１は、樹脂部２２２の第２の導電部２２と隣接する部分の厚さＴＮ１３よりも薄い。樹脂部２２２の中央部分の厚さＴＮ１１は、樹脂部２２２の各ヒータ電極２３９と隣接する部分の厚さＴＮ１２、ＴＮ１３よりも薄い。樹脂部２２２の厚さは、例えば、幅方向の中央付近において最も薄くなる。
【０２２８】
図２２（ｂ）に表したように、この例において、第２の樹脂層２４０は、第３の導電部２３と第４の導電部２４との間の部分（各バイパス部２５１の間の部分）に入り込んでいる。同様に、第３の樹脂層２６０は、第３の導電部２３と第４の導電部２４との間の部分に入り込んでいる。すなわち、第２の樹脂層２４０及び第３の樹脂層２６０には、各バイパス部２５１の形状に応じた凹凸が形成されている。
【０２２９】
第２の樹脂層２４０及び第３の樹脂層２６０の凹凸にともない、この例では、樹脂部２２４の厚さが、幅方向（面内方向Ｄｐ）において変化する。樹脂部２２４の第３の導電部２３と第４の導電部２４との間の中央部分の厚さＴＮ２１は、樹脂部２２４の第３の導電部２３と隣接する部分の厚さＴＮ２２よりも薄い。同様に、樹脂部２２４の第３の導電部２３と第４の導電部２４との間の中央部分の厚さＴＮ２１は、樹脂部２２４の第４の導電部２４と隣接する部分の厚さＴＮ２３よりも薄い。樹脂部２２４の中央部分の厚さＴＮ２１は、樹脂部２２４の各バイパス部２５１と隣接する部分の厚さＴＮ２２、ＴＮ２３よりも薄い。樹脂部２２４の厚さは、例えば、幅方向の中央付近において最も薄くなる。
【０２３０】
このように、樹脂部２２２の中央部分の厚さＴＮ１１を、樹脂部２２２の各ヒータ電極２３９と隣接する部分の厚さＴＮ１２、ＴＮ１３よりも薄くする。これにより、ヒータエレメント２３０と第１の樹脂層２２０及び第２の樹脂層２４０などとの密着性を向上させ、処理対象物Ｗの加熱性能をより向上させることができる。均熱性と耐電圧信頼性とを両立させることができる。
【０２３１】
また、樹脂部２２４の中央部分の厚さＴＮ２１を、樹脂部２２４の各バイパス部２５１と隣接する部分の厚さＴＮ２２、ＴＮ２３よりも薄くする。これにより、バイパス層２５０と第２の樹脂層２４０及び第３の樹脂層２６０との密着性を向上させ、処理対象物Ｗの加熱性能をより向上させることができる。均熱性と耐電圧信頼性とを両立させることができる。
【０２３２】
図２３（ａ）及び図２３（ｂ）は、本実施形態のヒータプレートの変形例を表す断面図である。  
図２３（ａ）に表したように、例えば、第１面Ｐ１の幅Ｗ１が、第２面Ｐ２の幅Ｗ２よりも狭い場合には、第１の樹脂層２２０のみに凹凸を形成し、樹脂部２２２の厚さを変化させてもよい。
【０２３３】
図２３（ｂ）に表したように、例えば、第１面Ｐ１の幅Ｗ１が、第２面Ｐ２の幅Ｗ２よりも広い場合には、第２の樹脂層２４０のみに凹凸を形成し、樹脂部２２２の厚さを変化させてもよい。
【０２３４】
バイパス層２５０の樹脂部２２４についても同様に、第３面Ｐ３の幅Ｗ３が、第４面Ｐ４の幅Ｗ４よりも狭い場合には、第２の樹脂層２４０のみに凹凸を形成し、樹脂部２２４の厚さを変化させてもよい。第３面Ｐ３の幅Ｗ３が、第４面Ｐ４の幅Ｗ４よりも広い場合には、第３の樹脂層２６０のみに凹凸を形成し、樹脂部２２４の厚さを変化させてもよい。
【０２３５】
また、上記とは反対に、第１面Ｐ１の幅Ｗ１が、第２面Ｐ２の幅Ｗ２よりも狭い場合に、第２の樹脂層２４０のみに凹凸を形成し、樹脂部２２２の厚さを変化させてもよい。第１面Ｐ１の幅Ｗ１が、第２面Ｐ２の幅Ｗ２よりも広い場合に、第１の樹脂層２２０のみに凹凸を形成し、樹脂部２２２の厚さを変化させてもよい。
【０２３６】
図２４（ａ）及び図２４（ｂ）は、ヒータプレートのシミュレーション結果の一例を表す説明図である。  
図２４（ａ）は、シミュレーションに用いたヒータ電極２３９のヒータパターンの一部を表す。図２４（ｂ）は、シミュレーション結果の一例を表す断面図である。  
シミュレーションでは、図２４（ａ）に表したヒータ電極２３９に電流を流した時の発熱量をＣＡＥ（Computer Aided Engineering）解析した。図２４（ｂ）では、発熱量の解析結果をハッチングの濃淡で表している。図２４（ｂ）では、ハッチングの濃淡の薄い部分が温度の低いところを表し、濃くなるに従って温度が高くなることを表している。
【０２３７】
シミュレーションでは、ヒータ電極２３９において温度の高くなりやすいホットスポットＨＳＰについてＣＡＥ解析を行った。図２４（ｂ）は、ホットスポットＨＳＰのＧ１−Ｇ２線断面を表す。なお、シミュレーションモデルでは、バイパス層２５０が、セラミック誘電体基板１００とヒータエレメント２３０との間に設けられている。また、第１の樹脂層２２０、第２の樹脂層２４０、及び第３の樹脂層２６０を便宜的に１つの層（ポリイミド層）にまとめて図示している。また、シミュレーションでは、ヒータ電極２３９の幅を一定とした。すなわち、シミュレーションにおいては、第１面Ｐ１の幅Ｗ１は、第２面Ｐ２の幅Ｗ２と実質的に同じである。
【０２３８】
ホットスポットＨＳＰは、略円形のヒータプレート２００の最外周に位置している。ホットスポットＨＳＰは、他の部分と曲率が反転した部分である。ホットスポットＨＳＰでは、円弧の内側の部分が、ヒータプレート２００の外周側を向いている。
【０２３９】
円弧状に湾曲したヒータ電極２３９では、外側に比べて内側の方が経路が短く、抵抗も低くなる。このため、円弧状のヒータ電極２３９では、内側の方が外側よりも電流密度が高くなり、温度も高くなる傾向にある。従って、図２４（ｂ）に表したように、ホットスポットＨＳＰでは、円弧の内側であるヒータプレート２００の外周側の方が中心側よりも温度が高くなっている。また、ホットスポットＨＳＰでは、他の部分と曲率が反転しているため、中心側の径の大きい部分にも比較的電流が流れやすい。このため、ホットスポットＨＳＰでは、他の部分と比べて温度が上がり易い。
【０２４０】
このように、円弧状に湾曲したヒータ電極２３９では、内側の部分と外側の部分とで温度分布にムラが生じる。例えば、第１導電部２１と第２導電部２２との間に空間が空いている（空気層が存在する）と、その部分で熱的に遮断されてしまう。この際、例えば、第１の導電部２１と第２の導電部２２との間に樹脂部２２２を設けることにより、こうした温度分布のムラを抑制することができる。樹脂部２２２を設け、第１の導電部２１と第２の導電部２２との間の空間を埋める。これにより、例えば、均熱性をより向上させることができる。
【０２４１】
また、図２４（ｂ）に表したように、ヒータ電極２３９では、セラミック誘電体基板１００側（上側）の方が、べースプレート３００側（下側）よりも温度が高くなり易い。これは、ベースプレート３００側に熱が逃げるためである。例えば、ヒータ電極２３９の直上に温度の高い部分が局所的に生じてしまう場合などには、図１６（ａ）などに表したように、第１面Ｐ１の幅Ｗ１を、第２面Ｐ２の幅Ｗ２よりも狭くする。これにより、前述のように、Ｚ方向における熱分布のバラツキを抑制することができる。例えば、ヒータ電極２３９の直上に温度の高い部分が局所的に生じてしまうことを抑制し、均熱性をより向上させることができる。
【０２４２】
図２５は、本実施形態のヒータプレートの変形例を表す断面図である。  
図２５に表したように、第２の樹脂層２４０と第３の樹脂層２６０とを各バイパス部２５１の間の部分に入り込ませる場合、第３の樹脂層２６０の変位量ＡＤ２は、第２の樹脂層２４０の変位量ＡＤ１よりも大きくする。
【０２４３】
発熱によって材質自体に熱歪みが生じるのは、ヒータエレメント２３０側である。従って、ヒータプレート２００内の構造的な歪みは、ヒータエレメント２３０側の第２の樹脂層２４０よりも、バイパス層２５０側の第３の樹脂層２６０において大きくする。これにより、ヒータプレート２００全体の熱歪みを緩和し、応力的な負荷をより抑制することができる。
【０２４４】
第１の支持板２１０は、第２の支持板２７０側の面ＰＬ１（下面）を有する。面ＰＬ１は、第１の樹脂層２２０と対向し、例えば、第１の樹脂層２２０と接する。
【０２４５】
第１の支持板２１０の面ＰＬ１（下面）は、第１領域Ｒ１と、第２領域Ｒ２と、を有する。第１領域Ｒ１は、Ｚ方向に沿って見たとき（上面視）に、ヒータエレメント２３０及びバイパス層２５０の少なくともいずれかと重なる領域である。この例では、第１領域Ｒ１は、Ｚ方向に沿ってみたときに、ヒータエレメント２３０及びバイパス層２５０の両方と重なる。第２領域Ｒ２は、Ｚ方向に沿って見たときに、ヒータエレメント２３０及びバイパス層２５０の少なくともいずれかと重ならない領域である。この例では、第２領域Ｒ２は、Ｚ方向に沿って見たときに、バイパス層２５０と重ならない。第２領域Ｒ２は、Ｚ方向に沿ってみたときに、ヒータエレメント２３０と重ならない領域でもよい。
【０２４６】
静電チャック１０においては、図２５に示したＺ方向に対して平行な断面において、第２領域Ｒ２は、第１領域Ｒ１に比べて、第２の支持板２７０側に突出している。換言すれば、第２領域Ｒ２のＺ方向における位置は、第１領域Ｒ１のＺ方向における位置と、第２の支持板２７０と、の間である。
【０２４７】
すなわち、第１の支持板２１０の面ＰＬ１（下面）は、ヒータエレメント２３０やバイパス層２５０の形状にならった凹凸を有する。第１領域Ｒ１は、第１の支持板２１０の凹部に対応し、第２領域Ｒ２は、第１の支持板２１０の凸部に対応する。同様に、第１の支持板２１０の上面においても、ヒータエレメント２３０の形状にならった凹凸が形成されている。
【０２４８】
例えば、第１領域Ｒ１が、Ｚ方向においてヒータエレメント２３０及びバイパス層２５０のいずれかと重なる領域であり、第２領域Ｒ２が、Ｚ方向においてヒータエレメント２３０及びバイパス層２５０の両方と重ならない領域でもよい。この場合にも、第２領域Ｒ２は、第１領域Ｒ１に比べて、第２の支持板２７０側に突出する。
【０２４９】
第２の支持板２７０は、第１の支持板２１０側の面ＰＵ２（上面）を有する。面ＰＵ２は、第３の樹脂層２６０（又は第２の樹脂層２４０）と対向し、例えば、第３の樹脂層２６０（又は第２の樹脂層２４０）と接する。
【０２５０】
第２の支持板２７０の面ＰＵ２（上面）は、第３領域Ｒ３と、第４領域Ｒ４と、を有する。第３領域Ｒ３は、Ｚ方向に沿ってみたときに、ヒータエレメント２３０及びバイパス層２５０の少なくともいずれかと重なる領域である。この例では、第３領域Ｒ３は、Ｚ方向に沿ってみたときに、ヒータエレメント２３０及びバイパス層２５０の両方と重なる。第４領域Ｒ４は、Ｚ方向に沿ってみたときに、ヒータエレメント２３０及びバイパス層２５０の少なくともいずれかと重ならない領域である。この例では、第４領域Ｒ４は、Ｚ方向に沿ってみたときに、バイパス層２５０と重ならない。第４領域Ｒ４は、Ｚ方向に沿って見たときに、ヒータエレメント２３０と重ならない領域でもよい。
【０２５１】
図２５に示した断面において、第４領域Ｒ４は、第３領域Ｒ３に比べて、第１の支持板２１０側に突出している。換言すれば、第４領域Ｒ４のＺ方向における位置は、第３領域Ｒ３のＺ方向における位置と、第１の支持板２１０と、の間である。
【０２５２】
すなわち、第２の支持板２７０の面ＰＵ２（上面）は、ヒータエレメント２３０やバイパス層２５０の形状にならった凹凸を有する。第３領域Ｒ３は、第２の支持板２７０の凹部に対応し、第４領域Ｒ４は、第２の支持板２７０の凸部に対応する。同様に、第２の支持板２７０の下面においても、ヒータエレメント２３０の形状にならった凹凸が形成されている。
【０２５３】
例えば、第３領域Ｒ３が、Ｚ方向においてヒータエレメント２３０及びバイパス層２５０のいずれかと重なる領域であり、第４領域Ｒ４が、Ｚ方向においてヒータエレメント２３０及びバイパス層２５０の両方と重ならない領域でもよい。この場合にも、第４領域Ｒ４は、第３領域Ｒ３に比べて、第１の支持板２１０側に突出する。
【０２５４】
第２領域Ｒ２と第４領域Ｒ４との間のＺ方向に沿った距離Ｄ１は、第１領域Ｒ１と第３領域Ｒ３との間のＺ方向に沿った距離Ｄ２よりも短い。
【０２５５】
このように、第１の支持板２１０と第２の支持板２７０には、凹凸が形成されている。このような凹凸は、ヒータプレート２００において積層された各部材の密着性が高いことにより、形成される。すなわち、第１の支持板２１０の面ＰＬ１（下面）に凹凸が形成されているため、面ＰＬ１に近接した層（例えば第１の樹脂層２２０）と面ＰＬ１との密着性が高い。また、第２の支持板２７０の面ＰＵ２（上面）に凹凸が形成されているため、面ＰＵ２に近接した層（例えば第３の樹脂層２６０）と面ＰＵ２との密着性が高い。これにより、第１の支持板２１０の剥離及び第２の支持板２７０の剥離を抑制することができ、信頼性を向上させることができる。例えば、局所的な剥離による、熱の不均一や耐電圧特性の低下を抑制することができる。設計通りの均熱性と耐電圧特性を実現することができる。
【０２５６】
また、密着性が高いことにより、ヒータプレート２００の熱伝導性を向上させることができる。また、第１の支持板２１０の凹凸によって、例えばヒータエレメント２３０と処理対象物との間の距離を短くすることができる。これにより、処理対象物の温度の上昇速度を向上させることができる。したがって、例えば、「ヒータの加熱性能（昇温速度）」と、「温度均一性」「耐電圧信頼性」と、の両立が可能となる。
【０２５７】
図２６は、本実施形態の変形例にかかる静電チャックを表す模式的断面図である。  
図２６（ａ）は、本実施形態の変形例にかかる静電チャックを表す模式的断面図である。図２６（ｂ）は、本変形例のヒータプレートを表す模式的断面図である。図２６（ａ）および図２６（ｂ）は、例えば図１に表した切断面Ａ１−Ａ１における模式的断面図に相当する。
【０２５８】
図２６（ａ）に表した静電チャック１０ａは、セラミック誘電体基板１００と、ヒータプレート２００ａと、べースプレート３００と、を備える。セラミック誘電体基板１００およびべースプレート３００は、図１および図２に関して前述した通りである。
【０２５９】
図２６（ｂ）に表したように、本具体例のヒータプレート２００ａは、複数のヒータエレメントを有する。図２６（ｂ）に表したヒータプレート２００ａは、第１の樹脂層２２０と、第１のヒータエレメント（発熱層）２３０ａと、第２の樹脂層２４０と、第２のヒータエレメント（発熱層）２３０ｂと、第３の樹脂層２６０と、バイパス層２５０と、第４の樹脂層２９０と、第２の支持板２７０と、を有する。
【０２６０】
第１の樹脂層２２０は、第１の支持板２１０と、第２の支持板２７０と、の間に設けられている。第１のヒータエレメント２３０ａは、第１の樹脂層２２０と、第２の支持板２７０と、の間に設けられている。第２の樹脂層２４０は、第１のヒータエレメント２３０ａと、第２の支持板２７０と、の間に設けられている。第２のヒータエレメント２３０ｂは、第２の樹脂層２４０と、第２の支持板２７０と、の間に設けられている。第３の樹脂層２６０は、第２のヒータエレメント２３０ｂと、第２の支持板２７０と、の間に設けられている。バイパス層２５０は、第３の樹脂層２６０と、第２の支持板２７０と、の間に設けられている。第４の樹脂層２９０は、バイパス層２５０と、第２の支持板２７０と、の間に設けられている。つまり、本具体例では、第１のヒータエレメント２３０ａは、第２のヒータエレメント２３０ｂとは異なる層に独立した状態で設けられている。
【０２６１】
第１の支持板２１０と、第１の樹脂層２２０と、第２の樹脂層２４０と、第３の樹脂層２６０と、バイパス層２５０と、第２の支持板２７０と、のそれぞれの材料、厚さ、および機能は、図３〜図５に関して前述した通りである。第１のヒータエレメント２３０ａおよび第２のヒータエレメント２３０ｂのそれぞれの材料、厚さ、および機能は、図３〜図５に関して前述したヒータエレメント２３０と同じである。第４の樹脂層２９０は、図３〜図５に関して前述した第１の樹脂層２２０と同じである。
【０２６２】
本変形例によれば、第１のヒータエレメント２３０ａが第２のヒータエレメント２３０ｂとは異なる層において独立して配置されているため、処理対象物Ｗの面内の温度を所定の領域ごとに独立して制御することができる。
【０２６３】
図２７（ａ）〜図２７（ｄ）は、本実施形態のヒータプレートの変形例を表す断面図である。  
図２７（ａ）に表したように、第１の支持板２１０とヒータエレメント２３０との間に第１の樹脂層２２０が設けられる。各ヒータ電極２３９の第１の樹脂層２２０と対向する第１面Ｐ１の幅Ｗ１は、各ヒータ電極２３９の第１面Ｐ１とは反対側の第２面の幅Ｗ２よりも広い。ヒータエレメント２３０は、樹脂部２２２と第１の樹脂層２２０との間に設けられる。樹脂部２２２は、各ヒータ電極２３９の側面ＳＦ１及び第２面Ｐ２を覆う。例えば、ヒータ電極２３９は、第１面Ｐ１において第１の樹脂層２２０と接し、第２面Ｐ２及び側面ＳＦ１において樹脂部２２２と接する。
【０２６４】
なお、図２７（ａ）に示す例では、ヒータプレート２００には、第２の樹脂層２４０及び第２の支持板２７０が設けられていない。このように、実施形態においては、第２の支持板２７０等は省略されてもよい。この場合、例えば、樹脂部２２２は、その下に設けられる層（例えばベースプレート３００又は接着剤４０３）とヒータプレート２００とを接着する接着層として機能することができる。
【０２６５】
図２７（ｂ）に表したように、上記から積層順を変えてもよい。すなわち、第１の支持板２１０と第１の樹脂層２２０との間において第１の支持板２１０から離れた位置にヒータエレメント２３０が設けられてもよい。この場合も、各ヒータ電極２３９の第１の樹脂層２２０と対向する第１面Ｐ１の幅Ｗ１は、各ヒータ電極２３９の第１面Ｐ１とは反対側の第２面Ｐ２の幅Ｗ２よりも広い。樹脂部２２２は、第１の支持板２１０とヒータエレメント２３０との間、及び、第１の支持板２１０と第１の樹脂層２２０との間に設けられる。樹脂部２２２は、ヒータ電極２３９（ヒータエレメント２３０）と第１の支持板２１０との間に延在している。
【０２６６】
図２７（ｃ）に示す例では、ヒータプレート２００は、図２７（ａ）に示す例に比べて、樹脂部２２５をさらに有する。樹脂部２２５は、第１の支持板２１０と第１の樹脂層２２０との間に設けられる。樹脂部２２５は、例えば、第１の支持板２１０及び第１の樹脂層２２０と接する。
【０２６７】
樹脂部２２５の材料は、第１の樹脂層２２０の材料と異なる。材料が異なるとは組成が異なること、物性（例えば融点やガラス転移点など）が異なること、もしくは熱履歴が異なることである。熱履歴が異なる２つの材料間には界面が存在する。例えば、樹脂部２２５の組成は、第１の樹脂層２２０の組成と異なる。または、樹脂部２２５の熱履歴は、第１の樹脂層２２０の熱履歴と異なる。
【０２６８】
例えば、樹脂部２２５が第１の樹脂層２２０に含まれる成分と異なる成分を含む場合、樹脂部２２５の材料は第１の樹脂層２２０の材料と異なる。樹脂部２２５が第１の樹脂層２２０の成分と同じ成分を含む場合でも、樹脂部２２５における当該成分の組成比（濃度）が第１の樹脂層２２０における当該成分の組成比（濃度）と異なる場合、樹脂部２２５の材料は第１の樹脂層２２０の材料と異なる。また、例えば、第１の樹脂層２２０が複数の層を含む場合でも、当該複数の層の少なくともいずれかの材料と樹脂部２２５の材料とが異なる場合、樹脂部２２５の材料は、第１の樹脂層２２０の材料と異なる。樹脂部２２２のガラス転移点（又は融点）は、例えば、第１の樹脂層２２０のガラス転移点（又は融点）よりも低い。
【０２６９】
樹脂部２２５には、例えば、ポリイミドやシリコーン、エポキシ、アクリルなどが用いられる。例えば、ポリイミドフィルム、発泡接着剤シート、シリコーン又はエポキシを含む接着剤などを用いることができる。
【０２７０】
樹脂部２２５は、第１の支持板２１０と第１の樹脂層２２０とを接着する接着層である。樹脂部２２５を設けることにより、接着性が向上し、耐電圧信頼性をさらに向上させることができる。
【０２７１】
図２７（ｄ）に示す例では、ヒータプレート２００は、図２７（ｂ）に示す例に比べて、樹脂部２２６をさらに有する。第１の樹脂層２２０は、ヒータエレメント２３０と樹脂部２２６との間、及び、樹脂部２２２と樹脂部２２６との間に設けられる。樹脂部２２６の材料に関する説明は、樹脂部２２５に関する説明と同様である。この例では、樹脂部２２６は、その下に設けられる層とヒータプレート２００とを接着する接着層である。
【０２７２】
図２８（ａ）〜図２８（ｄ）は、本実施形態のヒータプレートの変形例を表す断面図である。図２８（ａ）〜図２８（ｄ）に示す例では、図２７（ａ）〜図２７（ｄ）に示す例と比べて、さらに第２の支持板２７０が設けられている。第１の支持板２１０と第２の支持板２７０との間に、第１の樹脂層２２０、ヒータエレメント２３０及び樹脂部２２２が設けられる。
【０２７３】
図２８（ａ）及び図２８（ｃ）に表したように、これらの例においては、樹脂部２２２は、ヒータエレメント２３０と第２の支持板２７０との間、及び、第１の樹脂層２２０と第２の支持板２７０との間に設けられる。この場合、樹脂部２２２は、例えば、第２の支持板２７０とヒータエレメント２３０（又は第１の樹脂層２２０）とを接着する接着層として機能する。
【０２７４】
図２８（ｄ）に表したように、この例において、樹脂部２２６は、第１の樹脂層２２０と第２の支持板２７０との間に設けられる。この場合、樹脂部２２６は、第２の支持板２７０と第１の樹脂層２２０とを接着する接着層である。
【０２７５】
図２９（ａ）〜図２９（ｄ）、図３０（ａ）〜図３０（ｄ）は、本実施形態のヒータプレートの変形例を表す断面図である。  
図２９（ａ）に示す例では、図２８（ｃ）に示す例と比べて、さらに、第２の樹脂層２４０、バイパス層２５０、樹脂部２２４、第３の樹脂層２６０及び樹脂部２２７が設けられている。
【０２７６】
第２の樹脂層２４０は、樹脂部２２２と第２の支持板２７０との間に設けられる。樹脂部２２２は、ヒータエレメント２３０（ヒータ電極２３９）と第２の樹脂層２４０との間に延在している。例えば、樹脂部２２２は、各ヒータ電極２３９間、および、各ヒータ電極２３９と樹脂層との間を隙間なく埋める。この例では、樹脂部２２２は、ヒータエレメント２３０（又は第１の樹脂層２２０）と第２の樹脂層２４０とを接着する接着層として機能する。
【０２７７】
バイパス層２５０は、第２の樹脂層２４０と第２の支持板２７０との間に設けられる。樹脂部２２４は、バイパス層２５０と第２の支持板２７０との間、及び、第２の樹脂層２４０と第２の支持板２７０との間に設けられる。第３の樹脂層２６０は、樹脂部２２４と第２の支持板２７０との間に設けられる。
【０２７８】
各バイパス部２５１の第２の樹脂層２４０と対向する第３面Ｐ３の幅Ｗ３は、各バイパス部２５１の第３面Ｐ３とは反対側の第４面Ｐ４の幅Ｗ４よりも広い。例えば、バイパス部２５１は、第３面Ｐ３において第２の樹脂層２４０と接し、第４面Ｐ４及び側面ＳＦ２において樹脂部２２４と接する。
【０２７９】
樹脂部２２４は、バイパス層２５０（バイパス部２５１）と第２の支持板２７０との間に延在する。例えば、樹脂部２２４は、各バイパス部２５１間、および、各バイパス部２５１と樹脂層との間を隙間なく埋める。この例では、樹脂部２２４は、バイパス層２５０（又は第２の樹脂層２４０）と第３の樹脂層２６０とを接着する接着層として機能する。
【０２８０】
樹脂部２２７は、第３の樹脂層２６０と第２の支持板２７０との間に設けられる。樹脂部２２７は、例えば、第３の樹脂層２６０及び第２の支持板２７０と接する。樹脂部２２７は、例えば、第３の樹脂層２６０と第２の支持板２７０とを接着する接着層である。
【０２８１】
樹脂部２２７の材料は、第３の樹脂層２６０の材料と異なる。材料が異なるとは組成が異なること、物性（例えば融点やガラス転移点など）が異なること、もしくは熱履歴が異なることである。熱履歴が異なる２つの材料間には界面が存在する。例えば、樹脂部２２７の組成は、第３の樹脂層２６０の組成と異なる。または、樹脂部２２７の熱履歴は、第３の樹脂層２６０の熱履歴と異なる。
【０２８２】
例えば、樹脂部２２７が第３の樹脂層２６０に含まれる成分と異なる成分を含む場合、樹脂部２２７の材料は第３の樹脂層２６０の材料と異なる。樹脂部２２７が第３の樹脂部２２６の成分と同じ成分を含む場合でも、樹脂部２２７における当該成分の組成比（濃度）が第３の樹脂層２６０における当該成分の組成比（濃度）と異なる場合、樹脂部２２７の材料は第３の樹脂層２６０の材料と異なる。また、例えば、第３の樹脂層２６０が複数の層を含む場合でも、当該複数の層の少なくともいずれかの材料と樹脂部２２７の材料とが異なる場合、樹脂部２２７の材料は、第３の樹脂層２６０の材料と異なる。樹脂部２２７のガラス転移点（又は融点）は、例えば、第３の樹脂層２６０のガラス転移点（又は融点）よりも低い。
【０２８３】
樹脂部２２７には、例えば、ポリイミドやシリコーン、エポキシ、アクリルなどが用いられる。例えば、ポリイミドフィルム、発泡接着剤シート、シリコーン又はエポキシを含む接着剤などを用いることができる。
【０２８４】
図２９（ｂ）に表したように、図２９（ａ）に示すヒータプレートにおいて、樹脂部２２５及び樹脂部２２７を省略してもよい。
【０２８５】
図２９（ｃ）に表したように、この例において、各ヒータ電極２３９の第１面Ｐ１の幅Ｗ１は、第２面Ｐ２の幅Ｗ２よりも狭い。また、例えば、ヒータエレメント２３０は、第１の樹脂層２２０と離間し、第２の樹脂層２４０と接する。樹脂部２２２は、ヒータエレメント２３０（ヒータ電極２３９）と第１の樹脂層２２０との間に延在する。この例では、樹脂部２２２は、ヒータエレメント２３０（又は第２の樹脂層２４０）と第１の樹脂層２２０とを接着する接着層として機能する。
【０２８６】
また、図２９（ｃ）に示す例では、各バイパス部２５１の第３面Ｐ３の幅Ｗ３は、第４面Ｐ４の幅Ｗ４よりも狭い。また、例えば、バイパス層２５０は、第２の樹脂層２４０と離間し、第３の樹脂層２６０と接する。樹脂部２２４は、バイパス層２５０（バイパス部２５１）と第２の樹脂層２４０との間に延在する。この例では、樹脂部２２４は、バイパス層２５０（又は第３の樹脂層２６０）と第２の樹脂層２４０とを接着する接着層として機能する。
【０２８７】
図２９（ｄ）に表したように、図２９（ｃ）に示すヒータプレートにおいて、樹脂部２２５及び樹脂部２２７を省略してもよい。
【０２８８】
図２９（ａ）〜図２９（ｄ）では、バイパス層２５０の上にヒータエレメント２３０が設けられている。これに限ることなく、例えば、図３０（ａ）〜図３０（ｄ）に表したように、ヒータエレメント２３０の上にバイパス層２５０を設けてもよい。
【０２８９】
以上、図２７〜図３０に関して説明したような樹脂部（樹脂部２２２、２２４、２２５、２２６、２２７）を設けることにより、当該樹脂部の上下の層の接着性が向上し、耐電圧信頼性をさらに向上させることができる。
【０２９０】
図３１及び図３２は、本実施形態の第１の支持板の変形例を表す模式的平面図である。  図３３は、本変形例のヒータプレートを表す模式的断面図である。  
図３１（ａ）は、第１の支持板が複数の支持部に分割された一例を表す。図３１（ｂ）及び図３２は、第１の支持板が複数の支持部に分割された他の一例を表す。
【０２９１】
図３３では、説明の便宜上、図３１（ａ）に表したヒータプレートと、第１の支持板の上面の温度のグラフ図と、を併せて表している。図３３に表したグラフ図は、第１の支持板の上面の温度の一例である。図３３に表したグラフ図の横軸は、第１の支持板２１０ａの上面の位置を表している。図３３に表したグラフ図の縦軸は、第１の支持板２１０ａの上面の温度を表している。なお、図３３では、説明の便宜上、バイパス層２５０および第３の樹脂層２６０を省略している。
【０２９２】
図３１（ａ）および図３１（ｂ）に表した変形例では、第１の支持板２１０ａは、複数の支持部に分割されている。より具体的には、図３１（ａ）に表した変形例では、第１の支持板２１０ａは、同心円状に複数の支持部に分割され、第１の支持部２１６と、第２の支持部２１７と、第３の支持部２１８と、第４の支持部２１９と、を有する。図３１（ｂ）に表した変形例では、第１の支持板２１０ｂは、同心円状かつ放射状に複数の支持部に分割され、第１の支持部２１６ａと、第２の支持部２１６ｂと、第３の支持部２１６ｃと、第４の支持部２１６ｄと、第５の支持部２１６ｅと、第６の支持部２１６ｆと、第７の支持部２１７ａと、第８の支持部２１７ｂと、第９の支持部２１７ｃと、第１０の支持部２１７ｄと、第１１の支持部２１７ｅと、第１２の支持部２１７ｆと、を有する。
【０２９３】
図３２に表した変形例において、第１の支持板２１０ｃは、さらに多くの支持部を有する。図３２の第１の支持板２１０ｃでは、図３１（ａ）で示した第１の支持部２１６が、さらに４つの支持部２１６ａ〜２１６ｄに分割されている。また、図３１（ａ）で示した第２の支持部２１７が、さらに８つの支持部２１７ａ〜２１７ｈに分割されている。また、図３１（ａ）で示した第３の支持部２１８が、さらに８つの領域２１８ａ〜２１８ｈに分割されている。そして、図３１（ａ）で示した第４の支持部２１９が、さらに１６の支持部２１９ａ〜２１９ｐに分割されている。このように、第１の支持板２１０に設けられる支持部の数及び形状は、任意でよい。
【０２９４】
第１の樹脂層２２０と、ヒータエレメント２３０と、第２の樹脂層２４０と、バイパス層２５０と、第３の樹脂層２６０と、第２の支持板２７０と、給電端子２８０と、のそれぞれは、図３〜図５に関して前述した通りである。
【０２９５】
図３１（ａ）〜図３３に関する以下の説明では、図３１（ａ）に表した第１の支持板２１０ａを例に挙げる。図３３に表したように、第１の支持部２１６は、ヒータエレメント２３０の第１の領域２３１の上に設けられ、ヒータエレメント２３０の第１の領域２３１に対応している。第２の支持部２１７は、ヒータエレメント２３０の第２の領域２３２の上に設けられ、ヒータエレメント２３０の第２の領域２３２に対応している。第３の支持部２１８は、ヒータエレメント２３０の第３の領域２３３の上に設けられ、ヒータエレメント２３０の第３の領域２３３に対応している。第４の支持部２１９は、ヒータエレメント２３０の第４の領域２３４の上に設けられ、ヒータエレメント２３０の第４の領域２３４に対応している。
【０２９６】
第１の支持部２１６は、第２の支持部２１７とは電気的に接合されていない。第２の支持部２１７は、第３の支持部２１８とは電気的に接合されていない。第３の支持部２１８は、第４の支持部２１９とは電気的に接合されていない。
【０２９７】
本変形例によれば、第１の支持板２１０ａ、２１０ｂ、２１０ｃの面内において意図的に径方向の温度差を設けることができる（温度制御性）。例えば図３３に表したグラフ図のように、第１の支持部２１６から第４の支持部２１９にわたってステップ状に温度差を設けることができる。これにより、処理対象物Ｗの面内において意図的に温度差を設けることができる（温度制御性）。
【０２９８】
図３４は、本実施形態の給電端子の具体例を表す模式的平面図である。  
図３４（ａ）は、本具体例の給電端子を表す模式的平面図である。図３４（ｂ）は、本具体例の給電端子の接合方法を例示する模式的平面図である。
【０２９９】
図３４（ａ）および図３４（ｂ）に表した給電端子２８０は、ピン部２８１と、導線部２８３と、支持部２８５と、接合部２８７と、を有する。ピン部２８１は、ソケットなどと呼ばれる部材と接続される。ソケットは、静電チャック１０の外部から電力を供給する。導線部２８３は、ピン部２８１と支持部２８５とに接続されている。支持部２８５は、導線部２８３と接合部２８７とに接続されている。図３４（ｂ）に表した矢印Ｃ１４のように、接合部２８７は、ヒータエレメント２３０またはバイパス層２５０と接合される。
【０３００】
導線部２８３は、給電端子２８０にかかる応力を緩和する。すなわち、ピン部２８１は、ベースプレート３００に固定される。一方で、接合部２８７は、ヒータエレメント２３０またはバイパス層２５０と接合される。ベースプレート３００と、ヒータエレメント２３０またはバイパス層２５０と、の間には、温度差が生ずる。そのため、ベースプレート３００と、ヒータエレメント２３０またはバイパス層２５０と、の間には、熱膨張の差が生ずる。そのため、熱膨張の差に起因する応力が給電端子２８０にかかることがある。熱膨張の差に起因する応力は、例えばベースプレート３００の径方向にかかる。導線部２８３は、この応力を緩和することができる。なお、接合部２８７と、ヒータエレメント２３０またはバイパス層２５０と、の接合は、溶接、レーザ光を利用した接合、半田付け、あるいはろう付けなどにより行われる。
【０３０１】
ピン部２８１の材料としては、例えばモリブデンなどが挙げられる。導線部２８３の材料としては、例えば銅などが挙げられる。導線部２８３の径Ｄ５は、ピン部２８１の径Ｄ８よりも小さい。導線部２８３の径Ｄ５は、例えば約０．３ｍｍ以上、２．０ｍｍ以下程度である。支持部２８５の材料としては、例えばステンレスなどが挙げられる。支持部２８５の厚さＤ６（Ｚ方向の長さ）は、例えば約０．５ｍｍ以上、２．０ｍｍ以下程度である。接合部２８７の材料としては、例えばステンレスなどが挙げられる。接合部２８７の厚さＤ７（Ｚ方向の長さ）は、例えば約０．０５ｍｍ以上、０．５０ｍｍ以下程度である。
【０３０２】
本具体例によれば、ピン部２８１の径Ｄ８が導線部２８３の径Ｄ５よりも大きいため、ピン部２８１は、比較的大きい電流をヒータエレメント２３０に供給することができる。また、導線部２８３の径Ｄ５がピン部２８１の径Ｄ８よりも小さいため、導線部２８３は、ピン部２８１よりも変形しやすく、ピン部２８１の位置を接合部２８７の中心からずらすことができる。これにより、ヒータプレート２００とは異なる部材（例えばベースプレート３００）に給電端子２８０を固定することができる。
【０３０３】
支持部２８５は、例えば、溶接、レーザ光を利用した接合、半田付け、ロウ付けなどにより導線部２８３および接合部２８７と接合されている。これにより、給電端子２８０にかかる応力を緩和しつつ、ヒータエレメント２３０またはバイパス層２５０に対してより広い接触面積を確保することができる。
【０３０４】
図３５は、本実施形態のヒータプレートの変形例を表す模式的分解図である。  
図３５に表したように、この例では、バイパス層２５０が、第１の支持板２１０とヒータエレメント２３０との間に設けられる。より詳しくは、バイパス層２５０が、第１の支持板２１０と第１の樹脂層２２０との間に設けられ、第３の樹脂層２６０が、第１の支持板２１０とバイパス層２５０との間に設けられる。
【０３０５】
このように、バイパス層２５０は、第１の支持板２１０とヒータエレメント２３０との間に設けてもよい。すなわち、バイパス層２５０は、ヒータエレメント２３０とセラミック誘電体基板１００との間に設けてもよい。
【０３０６】
この場合においても、バイパス層２５０により、ヒータエレメント２３０から供給された熱の拡散性を向上させることができる。例えば、処理対称物Ｗの面内方向（水平方向）における熱拡散性を向上させることができる。これにより、例えば、処理対象物Ｗの面内の温度分布の均一性を向上させることができる。
【０３０７】
なお、バイパス層２５０は、例えば、第１の支持板２１０とヒータエレメント２３０との間、及び、ヒータエレメント２３０と第２の支持板２７０との間の双方に設けてもよい。すなわち、ヒータプレート２００は、第１の支持板２１０とヒータエレメント２３０との間、及び、ヒータエレメント２３０と第２の支持板２７０との間のそれぞれに設けられた２つのバイパス層２５０を有してもよい。
【０３０８】
図３６は、本実施形態の給電端子の変形例を表す模式的断面図である。  
この例では、実施形態に係る静電チャックは、前述の給電端子２８０の代わりに給電端子２８０ａを有する。給電端子２８０ａは、給電部（本体部）２８１ａと、端子部２８１ｂと、を有する。給電端子２８０ａは、例えば、コンタクトプローブである。
【０３０９】
例えば、ベースプレート３００には、孔３９０が設けられる。筒状のスリーブ２８３ａは、孔３９０に対して固定される。給電端子２８０ａは、スリーブ２８３ａの内部に設けられ、例えば螺合などによりベースプレート３００に対して固定される。
【０３１０】
給電部２８１ａには、ヒータエレメント２３０に外部から電力を供給するソケット２８５ａを接続することができる。  
端子部２８１ｂは、給電端子２８０ａの先端に設けられ、ヒータエレメント２３０又はバイパス層２５０に接触する。端子部２８１ｂは、給電部２８１ａに対して摺動可能であり、給電端子２８０ａは伸縮可能である。また、給電端子２８０ａは、給電部２８１ａに対して固定されたバネを内部に有する。端子部２８１ｂは、そのバネにより、給電端子２８０ａが伸びるように付勢されている。
【０３１１】
端子部２８１ｂは、ヒータプレート２００（ヒータエレメント２３０又はバイパス層２５０）に押圧される。このとき、給電端子２８０ａは、バネの弾性力に抗して縮んだ状態である。言い換えれば、端子部２８１ｂは、バネの弾性力によってヒータエレメント２３０又はバイパス層２５０へ向かう方向に付勢され、押し当てられている。これにより、ソケット２８５ａは、給電端子２８０ａを介して、ヒータエレメント２３０又はバイパス層２５０と電気的に接続される。ヒータエレメント２３０又はバイパス層２５０には、給電端子２８０ａ及びソケット２８５ａを介して、外部から電力が供給される。
【０３１２】
このような給電端子２８０ａを用いた場合は、給電端子を溶接などで接合する場合に比べて、給電のために設けられる孔（ベースプレート３００の孔３９０や、第２の支持板２７０の孔２７３）の径を小さくすることができる。
【０３１３】
図３７は、本発明の他の実施の形態にかかるウェーハ処理装置を表す模式的断面図である。  
本実施形態にかかるウェーハ処理装置５００は、処理容器５０１と、上部電極５１０と、図１〜図３６に関して前述した静電チャック（例えば、静電チャック１０）と、を備えている。処理容器５０１の天井には、処理ガスを内部に導入するための処理ガス導入口５０２が設けられている。処理容器５０１の底板には、内部を減圧排気するための排気口５０３が設けられている。また、上部電極５１０および静電チャック１０には高周波電源５０４が接続され、上部電極５１０と静電チャック１０とを有する一対の電極が、互いに所定の間隔を隔てて平行に対峙するようになっている。
【０３１４】
本実施形態にかかるウェーハ処理装置５００において、上部電極５１０と静電チャック１０との間に高周波電圧が印加されると、高周波放電が起こり処理容器５０１内に導入された処理ガスがプラズマにより励起、活性化されて、処理対象物Ｗが処理されることになる。尚、処理対象物Ｗとしては、半導体基板（ウェーハ）を例示することができる。但し、処理対象物Ｗは、半導体基板（ウェーハ）には限定されず、例えば、液晶表示装置に用いられるガラス基板等であってもよい。
【０３１５】
高周波電源５０４は、静電チャック１０のベースプレート３００と電気的に接続される。ベースプレート３００には、前述のように、アルミニウムなどの金属材料が用いられる。すなわち、ベースプレート３００は、導電性を有する。これにより、高周波電圧は、上部電極４１０とベースプレート３００との間に印加される。
【０３１６】
また、この例のウェーハ処理装置５００では、ベースプレート３００が、第１の支持板２１０及び第２の支持板２７０と電気的に接続されている。これにより、ウェーハ処理装置５００では、第１の支持板２１０と上部電極５１０との間、及び、第２の支持板２７０と上部電極５１０との間にも高周波電圧が印加される。
【０３１７】
このように、各支持板２１０、２７０と上部電極５１０との間に高周波電圧を印加する。これにより、ベースプレート３００と上部電極５１０との間のみに高周波電圧を印加する場合に比べて、高周波電圧を印加する場所を処理対象物Ｗにより近付けることができる。これにより、例えば、より効率的かつ低電位でプラズマを発生させることができる。
【０３１８】
ウェーハ処理装置５００のような構成の装置は、一般に平行平板型ＲＩＥ（Reactive Ion Etching）装置と呼ばれるが、本実施形態にかかる静電チャック１０は、この装置への適用に限定されるわけではない。例えば、ＥＣＲ(Electron Cyclotron Resonance) エッチング装置、誘電結合プラズマ処理装置、ヘリコン波プラズマ処理装置、プラズマ分離型プラズマ処理装置、表面波プラズマ処理装置、プラズマＣＶＤ（Chemical Vapor Deposition )装置などのいわゆる減圧処理装置に広く適応することができる。また、本実施形態にかかる静電チャック１０は、露光装置や検査装置のように大気圧下で処理や検査が行われる基板処理装置に広く適用することもできる。ただし、本実施形態にかかる静電チャック１０の有する高い耐プラズマ性を考慮すると、静電チャック１０をプラズマ処理装置に適用させることが好ましい。尚、これらの装置の構成の内、本実施形態にかかる静電チャック１０以外の部分には公知の構成を適用することができるので、その説明は省略する。
【０３１９】
図３８は、本発明の他の実施の形態にかかるウェーハ処理装置の変形例を表す模式的断面図である。  
図３８に表したように、高周波電源５０４は、第１の支持板２１０と上部電極５１０との間、及び、第２の支持板２７０と上部電極５１０との間のみに電気的に接続してもよい。この場合にも、高周波電圧を印加する場所を処理対象物Ｗに近付け、効率的にプラズマを発生させることができる。
【０３２０】
図３９は、本発明の他の実施の形態にかかるウェーハ処理装置の変形例を表す模式的断面図である。  
図３９に表したように、この例では、高周波電源５０４が、ヒータエレメント２３０と電気的に接続されている。このように、高周波電圧は、ヒータエレメント２３０と上部電極５１０との間に印加してもよい。この場合にも、高周波電圧を印加する場所を処理対象物Ｗに近付け、効率的にプラズマを発生させることができる。
【０３２１】
高周波電源５０４は、例えば、各給電端子２８０を介してヒータエレメント２３０と電気的に接続する。例えば、高周波電圧をヒータエレメント２３０の複数の領域（例えば、図１２（ａ）に表した第１の領域２３１〜第４の領域２３４）に選択的に印加する。これにより、高周波電圧の分布を制御することができる。
【０３２２】
高周波電源５０４は、例えば、第１の支持板２１０と第２の支持板２７０とヒータエレメント２３０とに電気的に接続してもよい。高周波電圧は、第１の支持板２１０と上部電極５１０との間、第２の支持板２７０と上部電極５１０との間、及び、ヒータエレメント２３０と上部電極５１０との間のそれぞれに印加してもよい。
【０３２３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ヒータプレート２００、２００ａ、２００ｂなどが備える各要素の形状、寸法、材質、配置などやヒータエレメント２３０、第１のヒータエレメント２３０ａ、第２のヒータエレメント２３０ｂ、およびバイパス層２５０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０３２４】
１０、１０ａ 静電チャック、  ２１ 第１の導電部、  ２２ 第２の導電部、  ２３ 第３の導電部、  ２４ 第４の導電部、  １００ セラミック誘電体基板、  １０１ 第１主面、  １０２ 第２主面、  １０７ 第１誘電層、  １０９ 第２誘電層、  １１１ 電極層、  １１３ 凸部、  １１５ 溝、  ２００、２００ａ、２００ｂ ヒータプレート、  ２０１ リフトピン孔、  ２０３ 中心、  ２１０、２１０ａ 第１の支持板、  ２１１ 面、  ２１１ａ 凹部、  ２１１ｂ 凸部、  ２１３ 面、  ２１６ 第１の支持部、  ２１６ａ 第１の支持部、  ２１６ｂ 第２の支持部、  ２１６ｃ 第３の支持部、  ２１６ｄ 第４の支持部、  ２１６ｅ 第５の支持部、  ２１６ｆ 第６の支持部、  ２１７ａ 第７の支持部、  ２１７ｂ 第８の支持部、  ２１７ｃ 第９の支持部、  ２１７ｄ 第１０の支持部、  ２１７ｅ 第１１の支持部、  ２１７ｆ 第１２の支持部、  ２１７ 第２の支持部、  ２１８ 第３の支持部、  ２１９ 第４の支持部、  ２２０ 第１の樹脂層、  ２２２、２２４、２２５、２２６、２２７ 樹脂部、  ２３０、２３０ａ、２３０ｂ ヒータエレメント、  ２３１ 第１の領域、  ２３１ａ 第１の領域、  ２３１ｂ 第２の領域、  ２３１ｃ 第３の領域、  ２３１ｄ 第４の領域、  ２３１ｅ 第５の領域、  ２３１ｆ 第６の領域、  ２３２ 第２の領域、  ２３２ａ 第７の領域、  ２３２ｂ 第８の領域、  ２３２ｃ 第９の領域、  ２３２ｄ 第１０の領域、  ２３２ｅ 第１１の領域、  ２３２ｆ 第１２の領域、  ２３３ 第３の領域、  ２３４ 第４の領域、  ２３５ 離間部分、  ２３９ ヒータ電極、  ２４０ 第２の樹脂層、  ２４１ 孔、  ２５０ バイパス層、  ２５１ バイパス部、  ２５１ａ 面、  ２５３ 切り欠き部、  ２５５ａ、２５５ｂ、２５５ｃ、２５５ｄ、２５５ｅ、２５５ｆ、２５５ｇ、２５５ｈ 接合部、  ２５７ 離間部分、  ２５９ 中心、  ２６０ 第３の樹脂層、  ２６１ 孔、  ２７０ 第２の支持板、  ２７１ 面、  ２７１ａ 凹部、  ２７１ｂ 凸部、  ２７３ 孔、  ２７５ 面、  ２８０、２８０ａ 給電端子、  ２８１ ピン部、  ２８１ａ 給電部、  ２８１ｂ 端子部、  ２８３ 導線部、  ２８３ａ スリーブ、  ２８５ 支持部、  ２８５ａ ソケット、  ２８７ 接合部、  ２９０ 第４の樹脂層、  ３００ ベースプレート、  ３０１ 連通路、  ３０３ 下面、  ３２１ 導入路、  ３９０ 孔、  ４０３ 接着剤、  ５００ ウェーハ処理装置、  ５０１ 処理容器、  ５０２ 処理ガス導入口、  ５０３ 排気口、  ５０４ 高周波電源、  ５１０ 上部電極
【図１】
2018022886.tif 000003
【図２】
2018022886.tif 000004
【図３】
2018022886.tif 000005
【図４】
2018022886.tif 000006
【図５】
2018022886.tif 000007
【図６】
2018022886.tif 000008
【図７】
2018022886.tif 000009
【図８】
2018022886.tif 000010
【図９】
2018022886.tif 000011
【図１０】
2018022886.tif 000012
【図１１】
2018022886.tif 000013
【図１２】
2018022886.tif 000014
【図１３】
2018022886.tif 000015
【図１４】
2018022886.tif 000016
【図１５】
2018022886.tif 000017
【図１６】
2018022886.tif 000018
【図１７】
2018022886.tif 000019
【図１８】
2018022886.tif 000020
【図１９】
2018022886.tif 000021
【図２０】
2018022886.tif 000022
【図２１】
2018022886.tif 000023
【図２２】
2018022886.tif 000024
【図２３】
2018022886.tif 000025
【図２４】
2018022886.tif 000026
【図２５】
2018022886.tif 000027
【図２６】
2018022886.tif 000028
【図２７】
2018022886.tif 000029
【図２８】
2018022886.tif 000030
【図２９】
2018022886.tif 000031
【図３０】
2018022886.tif 000032
【図３１】
2018022886.tif 000033
【図３２】
2018022886.tif 000034
【図３３】
2018022886.tif 000035
【図３４】
2018022886.tif 000036
【図３５】
2018022886.tif 000037
【図３６】
2018022886.tif 000038
【図３７】
2018022886.tif 000039
【図３８】
2018022886.tif 000040
【図３９】
2018022886.tif 000041